(57)【要約】  ２つの回転磁石を備えたラッチを提供する。本発明のラッチは、コンパートメントの２ドアを開放可能なように閉止位置に固定するのに特に適している。各回転磁石は、磁力により各ドアに取り付けられた磁気インサートを閉止位置に保持し、両ドアをコンパートメントに関する閉止位置に固定する。機械的なフック状回転爪は磁石のその作用を補助する。更に、本ラッチには、ラッチを搭載する車両が衝突に巻き込まれた場合でもラッチ開きを防止する安全機能が設けられる。
2008540880.tif 000002
【特許請求の範囲】
【請求項１】
第１部材を、第２部材に関した閉止位置に固定するための磁気ラッチ機構であって、前記第１部材は前記第２部材に関した前記閉止位置と開放位置との間で移動可能であるような磁気ラッチ機構であって、
前記第１部材に取付けることができる磁気インサート；
前記第２部材に取り付けるためのハウジング；
前記ハウジングにより回転自在に支持された少なくとも１つの磁石であって、該少なくとも１つの磁石は係止位置と非係止位置との間で回動可能であり、前記係止位置においては、第２部材に関した前記閉止位置に前記第１部材が位置した状態で、前記少なくとも１つの磁石と前記磁気インサートとの間の磁力により、前記少なくとも１つの磁石が、磁気インサートを取り付けた前記第１部材を閉止位置に保持するように配置されると共に、前記非係止位置においては、第２部材に関した閉止位置に前記第１部材が位置した状態で、第１部材を前記閉止位置から第２部材に関する開放位置へと移動させるように、前記少なくとも１つの磁石が前記第１部材に取り付けられた前記磁気インサートを反撥するように配置された、少なくとも１個の磁石；及び
ユーザーからの入力に応じて、前記少なくとも１つの磁石を、前記係止位置から前記非係止位置へと選択的に移動可能な作動機構、を有することを特徴とする磁気ラッチ機構。
【請求項２】
更に、前記第１部材に取付け可能な受座；及び
前記少なくとも１つの磁石と共に回転自在に支持されたフック爪であって、前記少なくとも１つの磁石が前記係止位置にある時、前記受座に係合して前記第１部材が前記開放位置に移動するのを阻止するフック爪を有することを特徴とする請求項１に記載の磁気ラッチ機構。
【請求項３】
更に、前記少なくとも１つの磁石と共に回転自在に支持された歯車を有し、
前記作動手段は、直線移動自在に前記ハウジングに支持されたラックバーを有し、該ラックバーは、前記磁石と共に回転する前記歯車と係合可能な複数の歯を有し、前記ラックバーが前記ハウジングに関してその係止位置と非係止位置との間で直線移動する際には、前記磁石と前記フック爪が前記係止位置と非係止位置との間で一緒に回転することを特徴とする請求項２に記載の磁気ラッチ機構。
【請求項４】
更に、前記ラックバーに支持されたボールベアリングを有し、
前記作動機構は更に、ラックバーに関するロック位置と非ロック位置との間で、ラックバーに対し直線移動するように支持されたスライドバーを有し、前記ボールベアリングは前記ラックバーに対する前記スライドバーの動きに応じてラックバーに対して移動可能であり、ラックバーが前記ハウジングに関する前記係止位置に位置すると共にスライドバーがラックバーに関する前記ロック位置に位置する時、前記ボールベアリングは移動してハウジングと係合し、ラックバーが前記係止位置から非係止位置に移動するのを阻止し、スライドバーがラックバーに関する前記非ロック位置にある時、ボールベアリングはハウジングとの係合を解除でき、ハウジングに対する更なるスライドバーの直線移動に応じてラックバーはハウジングに関してその係止位置から非係止位置へと移動することを特徴とする請求項３に記載の磁気ラッチ機構。
【請求項５】
更に、前記スライドバーを駆動するモータを有することを特徴とする請求項４に記載の磁気ラッチ機構。
【請求項６】
第１ドア及び第２ドアを、第３部材に関した閉止位置に固定するための磁気ラッチ機構であって、前記第１及び第２ドアは前記第３部材に関した夫々の前記閉止位置と夫々の開放位置との間で移動可能であるような磁気ラッチ機構であって、
前記第１ドアに取付けることができる第１磁気インサート；
前記第２ドアに取付けることができる第２磁気インサート；
前記第３部材に取り付けるためのハウジング；
前記ハウジングにより回転自在に支持された第１磁石であって、該第１磁石は係止位置と非係止位置との間で回動可能であり、前記係止位置においては、第３部材に関した前記閉止位置に前記第１ドアが位置した状態で、前記第１磁石と前記第１磁気インサートとの間の磁力により、前記第１磁石が、前記第１磁気インサートを取り付けた前記第１ドアを閉止位置に保持するように配置されると共に、前記非係止位置においては、第３部材に関した閉止位置に前記第１ドアが位置した状態で、第１ドアを前記閉止位置から第３部材に関する開放位置へと移動させるように、前記第１磁石が前記第１ドアに取り付けられた前記第１磁気インサートを反撥するように配置された、第１磁石；
前記ハウジングにより回転自在に支持された第２磁石であって、該第２磁石は係止位置と非係止位置との間で回動可能であり、前記係止位置においては、第３部材に関した前記閉止位置に前記第２ドアが位置した状態で、前記第２磁石と前記第２磁気インサートとの間の磁力により、前記第２磁石が、前記第２磁気インサートを取り付けた前記第２ドアを閉止位置に保持するように配置されると共に、前記非係止位置においては、第３部材に関した閉止位置に前記第２ドアが位置した状態で、第２ドアを前記閉止位置から第３部材に関する開放位置へと移動させるように、前記第２磁石が前記第２ドアに取り付けられた前記第２磁気インサートを反撥するように配置された、第２磁石；及び
ユーザーからの入力に応じて、前記第１磁石及び第２磁石を、前記係止位置から前記非係止位置へと選択的に移動可能な作動機構、を有することを特徴とする磁気ラッチ機構。
【請求項７】
更に、
前記第１ドアに取付け可能な第１受座；
前記第１磁石と共に回転自在に支持された第１フック爪であって、前記第１磁石がその係止位置にある時、前記第１受座に係合して前記第１ドアが前記開放位置に移動するのを阻止する第１フック爪；
前記第２ドアに取付け可能な第２受座；及び
前記第２磁石と共に回転自在に支持された第２フック爪であって、前記第２磁石がその係止位置にある時、前記第２受座に係合して前記第２ドアが前記開放位置に移動するのを阻止する第２フック爪、を有することを特徴とする請求項６に記載の磁気ラッチ機構。
【請求項８】
更に、前記第１磁石と共に回転自在に支持された第１組の歯車と、前記第２磁石と共に回転自在に支持された第２組の歯車とを有し、
前記作動手段は、直線移動自在に前記ハウジングに支持されたラックバーを有し、
該ラックバーは、前記第１磁石と共に回転する前記第１組の歯車と係合可能な第１の複数歯を有し、前記ラックバーが前記ハウジングに関してその係止位置と非係止位置との間で直線移動する際には、前記第１磁石と前記第１フック爪がそれらの係止位置と非係止位置との間で一緒に回転し、
該ラックバーは、前記第２磁石と共に回転する前記第２組の歯車と係合可能な第2の複数歯を有し、前記ラックバーが前記ハウジングに関してその係止位置と非係止位置との間で直線移動する際には、前記第２磁石と前記第２フック爪がそれらの係止位置と非係止位置との間で一緒に回転することを特徴とする請求項７に記載の磁気ラッチ機構。
【請求項９】
更に、前記ラックバーに支持されたボールベアリングを有し、
前記作動機構は更に、ラックバーに関するロック位置と非ロック位置との間で、ラックバーに対し直線移動するように支持されたスライドバーを有し、前記ボールベアリングは前記ラックバーに対する前記スライドバーの動きに応じてラックバーに対して移動可能であり、ラックバーが前記ハウジングに関する前記係止位置に位置すると共にスライドバーがラックバーに関する前記ロック位置に位置する時、前記ボールベアリングは移動してハウジングと係合し、ラックバーが前記係止位置から非係止位置に移動するのを阻止し、スライドバーがラックバーに関する前記非ロック位置にある時、ボールベアリングはハウジングとの係合を解除でき、ハウジングに対する更なるスライドバーの直線移動に応じてラックバーはハウジングに関してその係止位置から非係止位置へと移動することを特徴とする請求項８に記載の磁気ラッチ機構。
【請求項１０】
更に、前記スライドバーを駆動するモータを有することを特徴とする請求項９に記載の磁気ラッチ機構。
【発明の詳細な説明】
【技術分野】
【０００１】
本発明は、コンパートメントの１つ又はそれ以上の密閉パネルを閉止位置に固定する際に磁石を使用するラッチに関する。
【背景技術】
【０００２】
数多くの用途には、パネルをコンパートメント開口部や他のパネルに関して閉止位置に固定する必要がある。例えば、自動車産業分野において、車両の室内コンパートメントのクロージャーとして作用するパネルは、コンパートメント自体の用がない時には閉止位置に固定されていなければならない。このようなコンパートメント例としては、車両のグローブボックス、車両の前座席間のセンターコンソールボックスなどがある。コンパートメントの中身に用がある際にはユーザーがクロージャー部材を選択的に開けるのを可能にする一方で、そのようなコンパートメントのクロージャー部材は、コンパートメントの中身を保護するべくラッチによって閉止位置に選択的に固定される。本分野においてはこのような目的のため数多くのラッチが提案されてきた。例えば特許文献１や特許文献２に見られるラッチがそうである。しかしながら、公知のラッチには本発明のように新規かつユニークなラッチを教示・提案するものはない。
【０００３】
【特許文献１】米国特許第５，９２７，７７２号
【特許文献２】米国特許第６，７６１，２７８号
【発明の開示】
【０００４】
本発明は、それに限定されるものではないが、コンパートメントの２ドアを開放可能なように閉止位置に固定するのに特に好都合なラッチ機構を提供することを目的とする。そのラッチは２個の回転磁石を備え、更に各回転磁石は、夫々のドアに取り付けられた磁気インサートを磁気的に引き付けることによりコンパートメントに関する閉止位置にドアの夫々をしっかりと保持する。機械的なフック状回転爪は磁石のその作用を補助する。本発明によるラッチは、２つのドアが連携されるような用途に適している。このような用途では、一方のドアの閉じ動作は他方のドアを閉止位置へと移動させる。しかしながらドア間の機械的リンケージは完全ではなく、両ドアの閉じ動作は必ずしも同期するものではない。往々にして、一方のドアが閉じ動作中のドアに僅かに遅れる。本発明のラッチは、一方のドアが他方のドアよりも遅れる時でさえも閉止位置にドアを適切に固定するように設計される。更に、本ラッチには、ラッチを搭載する車両が衝突に巻き込まれた場合でもラッチ開きを防止するといったような安全機能が設けられる。
【０００５】
本発明は、第１部材を第２部材に関した閉止位置に固定するための磁気ラッチ機構であって、第１部材は閉止位置と第２部材に関した開放位置との間で移動可能な磁気ラッチ機構を提供することを目的としている。例えば第１部材はドアでもよく、第２部材は例えばコンパートメントやドア枠でもよい。図示した例では１つ又はそれ以上のドアがコンパートメントのクロージャーを提供する。本発明によるラッチは、特に、機械的に連携した２つのドアが閉止位置で固定されるべき用途に適している。このような用途では、一方のドアの閉じ動作は、他方のドアを閉止位置へと移動させる。しかしながら、ドア間の機械的リンケージは完全ではなく、両ドアの閉じ動作は必ずしも同期するものではない。往々にして、一方のドアが閉じ動作中のドアに僅かに遅れる。本発明の磁気ラッチでは、ひとたびドアがラッチ磁石の磁場の影響域内に位置したならば、そのドアは磁力によって最終閉止位置へと引きつけられる。従って、２つドアの適用例においてドアがそれぞれの閉止位置へと接近する際に、両ドアの相対位置にかなりバラツキがあっても、最終閉止位置への各ドアの移動は確実に達成される。すなわち、本発明のラッチは一方のドアが他方のドアより遅れることがあっても両ドアを確実に閉止位置に固定するように設計される。
【発明を実施するための最良の形態】
【０００６】
２００５年２月１２日付け出願の米国特許仮出願番号第６０／６５２，２９５号、２００５年３月２９日付け出願の米国特許仮出願番号第６０／６６６，６９４号、２００５年５月８日付け出願の米国特許仮出願番号第６０／６７９，２７４号及び２００５年５月２３日付け出願の米国特許仮出願番号第６０／６８３，９８１５号の開示が本願に引用して援用される。
【０００７】
図１乃至図７１に、本発明による２個の回転磁石付き磁気ラッチ機構１００の一実施形態を示す。ラッチ機構１００は、２つのドア１０２，１０４をほぼ同時に閉止位置に固定するように設計された遠隔操作式のラッチ機構であり、２個の回転磁石１０６，１０８を使用する。ラッチ機構１００は、その回転磁石１０６，１０８を平行かつ隔置された回転軸周りで回転可能に支持し、ドア１０２，１０４のピボットやヒンジの間に装着されるように設計される。また、回転磁石１０６，１０８は同一方向に回転する。各回転磁石１０６，１０８は分離したマグネットキャリア１１８，１１９に夫々支持される。各マグネットキャリア１１８，１１９はハウジング１３２に回転可能に支持される。回転磁石１０６，１０８の夫々は、回転磁石と夫々のマグネットキャリアが１ユニットとして回転するように、各マグネットキャリア１１８，１１９に取り付けられる。各回転磁石１０６，１０８と夫々のマグネットキャリア１１８，１１９は夫々、係止位置と非係止位置との間で回動可能である。
【０００８】
磁気ラッチ機構１００はまた、１組のフック爪１３４，１３６を備える。各フック爪１３４，１３６は、爪１３４，１３６と夫々のマグネットキャリア１１８，１１９が１ユニットとして回転するようにマグネットキャリア１１８，１１９に支持される。フック爪１３４，１４６の各々は、夫々のマグネットキャリア１１８，１１９から離れる方向に面するベベルカム面１３８と、マグネットキャリア１１８，１１９に対面する捕捉面１４４とを備えたフックヘッド１２２を有する。
【０００９】
磁気ラッチ機構１００はまた、ドア１０２，１０４に夫々取り付け可能な磁気インサート１１４，１１６を備える。磁気インサート１１４，１１６の夫々は、回転磁石１０６，１０８の夫々に対応する。回転磁石１０６，１０８が夫々の係止位置にあって、ドア１０２，１０４が夫々の閉止位置にある時、各磁気インサート１１４，１１６に対向する回転磁石１０６，１０８夫々の各極は、各回転磁石１０６，１０８に対面する磁気インサート１１４，１１６の磁極とは反対のタイプ（即ち、Ｎ極、Ｓ極）となる。図示した例においては、磁気インサート１１４，１１６は、ドア１０２，１０４が閉止位置にある時、夫々のＳ極が各回転磁石１０６，１０８に対面するように配置される。図示例ではまた、回転磁石１０６，１０８は、磁石１０６，１０８とそれらのキャリアが係止位置にあり、かつ各ドア１０２，１０４が閉止位置にある時、各磁石のＮ極が各磁気インサート１１４，１１６に対面するように各キャリア１１８，１１９内に配置される。従って、磁気インサート１１４，１１６を取り付けたドア１０２，１０４が閉止位置に保持された場合、各回転磁石１０６，１０８と各磁気インサート１１４，１１６との間には引力が働く。
【００１０】
更に、フック爪１３４，１３６はドア１０２，１０４の閉止位置から開放位置への運動を機械的に阻止する受座１２４，１２６と夫々係合する。この特徴により、ドア１０２，１０４によって固定されたコンパートメントの外側から強制的にドア１０２，１０４をこじ開けられるのを防いでいる。
【００１１】
磁気ラッチ機構１００は、１組の受座１２４，１２６を有し、その夫々は１組のフック爪１３４，１３６の夫々に対応している。各受座１２４，１２６は、受座が各ドアの内面から離れて置かれ、フック爪１３４，１３６のヘッド１２２が各受座１２４，１２６と各ドア１０２，１０４との間で適合できるように、各ドア１０２，１０４により支持される。各受座１２４，１２６は各ドア１０２，１０４から離れた方向に面するカム面１２８と、各ドア１０２，１０４に対向する捕捉面１３０とを備える。各受座のカム面１２８は、各フック爪１３４，１３６のカム面１３８と相互作用し、爪を受座１２４，１２６の軌道の外に移動することができ、各ドアが閉止位置に向けて移動している時、たまたま各フック爪が係止位置にあるならば、各ドアをその閉止位置へと移動することができる。一旦ドア１０２，１０４が閉止位置に至ると、各回転磁石１０６，１０８・各磁気インサート１１４、１１６間の磁力により各フック爪１３４，１３６が係止位置に移動する。係止位置では、各フック爪１３４，１３６のヘッド１２２は各受座１２４，１２６と、各ドア１０２，１０４との間に位置し、そこでは各フック爪１３４，１３６の捕捉面１４４が各受座１２４，１２６の捕捉面１３０に係合でき、各ドア１０２，１０４の閉止位置から開放位置への移動を機械的に阻止するようになっている。
【００１２】
回転磁石１０６，１０８が非係止位置（図１４及び図４４参照）にあって、かつドア１０２，１０４が夫々閉止位置（図１参照）にある時、磁気インサート１１４，１１６の磁極とは反対の回転磁石１０６，１０８夫々の各極は、各磁気インサート１１４，１１６から離れて位置する一方、回転磁石１０６，１０８に対面する磁気インサート１１４，１１６の磁極と同じ回転磁石１０６，１０８夫々の各極は、回転磁石１０６，１０８の係止位置に比例して、各磁気インサート１１４，１１６により近く位置することになる。この非係止位置においては、各回転磁石１０６，１０８と各磁気インサート１１４，１１６の同極との間に働く反発力が、各回転磁石１０６，１０８と各磁気インサート１１４，１１６の反対極との間に働く引力に打ち勝つ。従って、正味反発力が各磁石１０６，１０８と各磁気インサート１１４，１１６の間に作用する。更に、フック爪１３４，１３６は、回転磁石１０６，１０８や磁石キャリア１１８，１１９と共に夫々の非係止位置へと回転し、それは磁気インサート１１４，１１６を取り付けたドア１０２，１０４が閉止位置から開放位置へと移動される結果をもって、ドア１０２，１０４の開放への機械的な障害を排除する。
【００１３】
ここでは、図示した例において、磁気インサート１１４，１１６は、ドア１０２，１０４が閉止位置にあるとき、夫々のＳ極が各回転磁石１０６， １０８に対面するように配置されることを想起されたい。図示した例においては、回転磁石１０６，１０８と夫々のキャリア１１８，１１９が係止位置から非係止位置へと移動した際には、回転磁石１０６，１０８のＮ極は、磁気インサート１１４，１１６のＳ極から離れる方向に移動し、回転磁石１０６，１０８のＳ極が磁気インサート１１４，１１６に向かって移動することになり、その結果、回転磁石１０６，１０８がそれぞれの非係止位置に到達した際には正味引力が各回転磁石１０６， １０８と磁気インサート１１４，１１６との間に作用する。
【００１４】
回転磁石１０６， １０８とキャリア１１８，１１９が係止位置から非係止位置まで移動する時には、それらは１０°より大きくかつ１８０°以下の範囲の角度で移動する。より好ましくは、回転磁石１０６， １０８とキャリア１１８，１１９は、それらが係止位置から非係止位置まで移動する時には、３０°以上、１８０°以下の範囲の角度をもって移動する。また更に好ましくは、回転磁石１０６, １０８とキャリア１１８，１１９が係止位置から非係止位置まで移動した時には、４５°以上、１４５°以下の範囲の角度をもって移動する。又、より好ましくは、回転磁石１０６, １０８とキャリア１１８，１１９は、それらが係止位置から非係止位置まで移動する時には、６０°以上、１２０°以下の範囲の角度をもって移動する。更に好ましくは、回転磁石１０６, １０８とキャリア１１８，１１９は、それらが係止位置から非係止位置まで移動する時には、８０°以上、１１５°以下の範囲の角度をもって移動する。図示した例では、回転磁石１０６, １０８とキャリア１１８，１１９が係止位置から非係止位置まで移動した際、それらはおおよそ１１０°（１１０°±１０°）の角度をもって移動する。より正確に言えば、図示した例で、回転磁石１０６, １０８とキャリア１１８，１１９が係止位置から非係止位置まで移動した際、それらは約１１０°の角度で移動する。
【００１５】
回転磁石１０６, １０８の反対側の極は、係止位置において各回転磁石１０６， １０８に対面する磁気インサート１１４，１１６の極に直接向かい合う必要はない。回転磁石１０６，１０８は、回転磁石の反対側の極と、磁気インサートの反対側の極との間の直接対面関係から、０°≦θ<９０°の範囲内の角度θで逸脱してもよい。この場合、回転磁石１０６, １０８に対するフック爪の位置は当然それに従って調整されなければならない。当然ながら、回転磁石の反対側の極と、磁気インサートの反対側の極との間の直接対面関係（即ち、０°又は約０°）は、ラッチ機構に対しては最も大きな保持力を提供するため、回転磁石１０６，１０８のＮ極が、その係止位置において、回転磁石の反対側の極・磁気インサートの反対側の極間の直接対面関係に出来るだけ近づくことは好ましいことである。考慮すべきキーポイントは、回転磁石１０６， １０８のＮ極がそれぞれのＳ極よりも、ある程度（即ち、回転磁石がドア１０２，１０４を引張り、ここで述べた閉止位置に保持するのに十分な程の正味引力が、回転磁石１０６，１０８と各磁気インサートとの間に発生するくらい）磁気インサートのＳ極に近くなるように、係止位置にある回転磁石１０６， １０８の角度位置が選択されなければならないということである。図示した例では係止位置において、回転磁石１０６，１０８のN極は、夫々の磁気インサートのS極との直接対面関係から数度ずれている。
【００１６】
各磁気インサート１１４，１１６は、夫々磁気インサートハウジング１７６，１７８に挿入されることでドア１０２，１０４の各々に取り付けられるが、言い換えれば、それはドア１０２，１０４の夫々に取り付けられることである。図示した例では、磁気インサートハウジング１７６，１７８はネジ１８０によってドア１０２，１０４に取り付けられる。
【００１７】
磁気インサートハウジング１７６，１７８をドア１０２，１０４に取り付ける手段は本発明においては重要ではなく、ネジ、リベット、ピン、釘、接着剤を含む他のいかなる固定手段を用いてもよい。更に、磁気インサートハウジング１７６，１７８をドア１０２，１０４と一体形成してもよい。磁気インサートハウジング１７６，１７８をそのまま省略し、磁気インサート１１４，１１６を直接ドア１０２，１０４に取り付けてもよい。ハウジング１７６，１７８と同様に、磁気インサート１１４，１１６をドア１０２，１０４に取り付けるのに、ネジ、リベット、ピン、釘、接着剤を含む他のいかなる固定手段を用いてもよい。また別の方法として、磁気インサート１１４，１１６をドア１０２，１０４の材料に埋め込むようにしても良い。
【００１８】
図示実施形態では、受座１２４，１２６は夫々磁気インサートハウジング１７６，１７８と一体形成されている。ハウジング１７６，１７８と同様に、受座１２４，１２６をドア１０２，１０４に取り付ける手段は本発明において重要ではない。フック爪１３４，１３６のヘッド１２２を各受座１２４，１２６と各ドア１０２，１０４との間で適合させるべく各ドアの内面から受座を十分な距離をもって隔てるように受座１２４，１２６を支持するならば、どんな適切な構造でもよく、その構造を各ドアに取り付けるに当たってはネジ、リベット、ピン、釘、接着剤を含む他のいかなる固定手段を用いてもよい。更に、受座１２４，１２６をドア１０２，１０４と一体形成してもよい。
【００１９】
磁気ラッチ機構１００は、夫々回転磁石１０６，１０８を取り付けたマグネットキャリア１１８，１１９を回転自在に支持するハウジング１３２を備える。ハウジング１３２の上部開口部１０１，１０５（実施形態によっては２つの開口部１０１，１０５の代りに１つの大きな上部開口部１０５でもよい）によって、フック爪１３４，１３６はハウジング１３２の外に延び、係止位置にある受座１２４，１２６と係合する。
【００２０】
各マグネットキャリア１１８，１１９は各回転磁石１０６， １０８を受け入れる受容部１８４，１８６を備える。各マグネットキャリア１１８，１１９はそれぞれ１組のスピンドル１４０，１４２及び１５０，１５２を備え、スピンドルの各組は各受容部１８４，１８６の反対側で外側に突出する。受容部１８４，１８６、即ちキャリア１１８，１１９はハウジング１３２の長手軸に沿って縦一列に並び、ハウジング１３２の長手軸に直角な横の回転軸をもつ。スピンドル１４０，１４２，１５０，１５２は夫々ハウジング１３２に受容され、その側部の穴１５４，１５６，１５８，１６０によって回転自在に支持される。穴１５４，１５６，１５８，１６０には夫々導入ランプ１６３，１６５，１６７，１６９が設けられ、穴１５４，１５６，１５８，１６０にスピンドル１４０，１４２，１５０，１５２をはめ込んだ形でキャリア１１８，１１９をハウジング１３２にスナップ嵌合できるようになっている。ハウジング１３２はモータ室１４１を持つ。このモータ室１４１用としてカバー１３３が設けられる。このようにしてマグネットキャリア１１８，１１９がハウジング１３２により回転自在に支持される。ハウジング１３２においてマグネットキャリア１１８，１１９を回転支持するために用いられる特定要素は本発明にとって重要なものではない。ハウジング１３２おいてキャリア１１８，１１９を回転自在に支持するべく図示した形態は組み付けの容易性という観点から選択されたものである。あるいはこれとは別に、キャリア１１８，１１９を、心棒やシャフトやピン、又は穴１５４，１５６，１５８，１６０の代りに使用できる他の支持機構を介してハウジング１３２によって回転支持することもできる。また別の例としては、ハウジング１３２をクラムシェル型にし、クラムシェルの半体同士を組み付けた際に、スピンドルを回転自在に支持する適当な支持構造にスピンドル１４０，１４２，１５０，１５２が挿入されるようにすることも可能である。
【００２１】
各フック爪１３４，１３６は各マグネットキャリア１１８，１１９に一体形成される。従って、各受容部１８４，１８６と各フック爪１３４，１３６との間には相対回転がなく、各フック爪１３４，１３６及び各受容部１８４，１８６、即ち各マグネットキャリア１１８，１１９は１つのユニットとして回転する。
【００２２】
或いは、フック爪１３４，１３６をマグネットキャリア１１８，１１９と別に形成し、各フック爪が各マグネットキャリアと共に１ユニットとして回転するようにフック爪をマグネットキャリアに取り付けるようにしてもよい。又、別の例としては、フック爪とマグネットキャリアを夫々独立した部品で形成した場合において、各キャリア１１８，１１９と各フック爪１３４，１３６との間にある範囲の相対運動があるようにしてもよい。このような場合、各キャリア１１８，１１９に対し図示した現在位置に向けて各フック爪１３４，１３６をバネ付勢する必要がある。この相対運動によって、各フック爪１３４，１３６が各受座１２４，１２６の軌道外へと移動することが可能となり、ドアが閉止位置に向けて移動中にある時、各フック爪がたまたま係止位置にあるならば、必ずしも回転磁石１０６，１０８を動かすことなく、ドアを閉止位置に向かって移動させることが可能になる。
【００２３】
各マグネットキャリア１１８，１１９は又、それぞれ複数の歯１８７，１８９を有する。各組の歯１８７，１８９は、各マグネットキャリア１１８，１１９の回転軸を中心とした円の一部からなる円弧に沿って分配される。各マグネットキャリア１１８，１１９の回転軸は、当然ながら、各マグネットキャリア１１８，１１９の各組のスピンドル１４０，１４２又は１５０，１５２の中心軸によって定められる。各マグネットキャリア１１８，１１９の歯１８７，１８９は、マグネットキャリアの各受容部１８４，１８６によって支持され、かつ一体化される。ラックバー１１７の歯１１３が、これらの歯１８７，１８９と噛み合う。
【００２４】
ラッチ機構１００は、その長さ方向に沿って配置された１組の歯１１３を持つラックバー１１７を備える。１組の歯１１３は複数の歯からなる。歯１１３は、マグネットキャリア１１８，１１９がラックバー１１７によって連携するように歯１８７，１８９と連続して噛み合う。ラックバー１１７は、図１２，３５，３８，４２に示す係止位置と、図１４，３１，４４に示す非係止位置との間でその長手軸方向において前後に直線運動できるように支持される。このラックバー１１７によりマグネットキャリア１１８，１１９が同時に移動でき、以ってキャリアと回転磁石１０６，１０８が共通の作動機構によって係止位置から非係止位置へ移動して２つのドア１０２，１０４を同時開放する。ラックバー１１７は、その直線運動を制限するためのスライドバー１１５を支持する。歯１１３がスライドバー１１５と歯１８７，１８９の中間に位置するように、スライドバー１１５の一部がラックバー１１７によって少なくとも部分的に囲まれる。スライドバー１１５の他の部分はラックバー１１７のスロットから外側に突き出ており、更にラッチ機構１００を作動するためのボーデンケーブル１２０の端部において円筒ダボ１０９を受け入れるように形成された受容部１０７を備える。スライドバー１１５は、ラックバー１１７に対しロック位置と非ロック位置との間で直線的に移動可能である。バネ１７０がスライドバー１１５とラックバー１１７の中間に設けられ、スライドバー１１５をロック位置に向けて付勢する。スライドバー１１５がロック位置にある時、ボールベアリング１７２がラックバー１１７の両側から外側に突き出すように、バネはラックバー１１７の両側にある開口部１７４から外側へと１個又はそれ以上のボールベアリング１７２を押圧する。スライドバー１１５がロック位置にあり、かつラックバー１１７が係止位置にある時、ボールベアリング１７２はハウジング１３２内の凹部１７３に係合し、スライドバー１１５が非ロック位置に移動しない限りロックバー１１７が移動できないようにする。バネ１７０については、衝突の際に予想される力のもと、スライドバー１１５が自分自身の慣性によって動くことができないようなバネ定数が選択される。このようにして、ボールベアリング１７２と凹部１７３との係合により、実質的にラッチ１００が衝突中に非係止状態になることを回避し、ラッチ１００を衝突による非係止に対し強くする。
【００２５】
スライドバー１１５は、同バー１１５が非ロック位置にある時、開口部１７４と位置が一致する凹部１７５を有する。一旦スライドバー１１５が非ロック位置に位置したならば、凹部１７５によりボールベアリング１７２はラックバー１１７内に引き込むことができ、ラックバー１１７は非係止位置への移動が自由になる。
【００２６】
受容部１０７は、円筒形のバレル又はスリーブ状であり、少なくとも一端が開口している。Ｌ字状スロット１１１がバレル状の受容部１０７の壁を貫く。Ｌ字状スロット１１１は受容部１０７の長さ方向に沿って受容部１０７の開口端からその約中間地点まで延びる。その位置からＬ字状スロット１１１が受容部１０７の長手方向に垂直な円弧に沿って延びることにより“Ｌ”の形ができる。スロット１１１はボ−デンケーブル１２０がスロット１１１を通って延びるほど充分広い。ダボ１０９は、スロット１１１を通って適合しないで受容部１０７内に適合するならば、球状であってもよく、或いは他の形状寸法を有してもよい。
【００２７】
ハウジング１３２は、ボーデンケーブル１２０のカバー１２３の一端を支持できるＵ字状スロット１１０を備えたブラケット１０３を有する。ボーデンケーブル１２０によりラッチ機構１００の遠隔操作が可能になる。ボーデンケーブル１２０のカバー１２３の一端をブラケット１０３のＵ字状スロット１１０内に装着し、ダボ１０９を受容部１０７に配置し、ボーデンケーブル１２０の遠い方の端部（図示せず）を引っ張ることで、スライドバー１１５をそのロック位置から非ロック位置へと直線移動することができる。スライドバー１１５のこの初期動作によりラックバー１１７は自由に非係止位置へと移動できるようになる。ロック位置から非ロック位置へのスライドバー１１５の移動範囲は相対的に制限されるが、ボーデンケーブル１２０の遠い方の端部（図示せず）を更に引っ張ると、スライドバー１１５とラックバー１１７が共に直線移動し、この結果ラックバー１１７はその係止位置から非係止位置まで移動する。この結果、回転磁石１０６，１０８、マグネットキャリア１１８，１１９及びフック爪１３４，１３６は、仮にこれらが初め係止位置にあると仮定すると、それぞれの係止位置から非係止位置へと回転することになる。
【００２８】
ボーデンケーブル１２０の遠い方の端部は手動で引いても、或いは電気アクチュエータを使用して引くようにしてもよい。一般に、このラッチ機構１００の手動又は電気操作のためのユーザーインターフェースとして、幾つかの種類のリモートハンドルやプッシュボタンが夫々提供される。
【００２９】
ラッチ機構１００は、そのハウジング１３２をフレームやコンパートメント１９４に搭載することにより、フレームやコンパートメント１９４に据え付けられる。回転磁石１０６, １０８は、磁気インサート１１４，１１６の位置から見て、露出したり見える必要はない。しかしながら、フック爪１３４，１３６がドア枠１９４を通って延び、係止位置まで回転したときに受座１２４，１２６と係合するように、スロット１９６，１９８等をドア枠１９４に設けなければならない。ハウジング１３２をドア枠１９４に取り付ける手段に関しては本発明では重要ではなく、ネジ、リベット、ピン、釘、接着剤を含むいかなる固定手段を用いてもよい。更に、ハウジング１３２はドア枠１９４と一体形成してもよい。
【００３０】
正確かつ確実に両ドアが係止するために磁石１０６， １０８は、ドア１０２，１０４を引っ張る。磁石１０６, １０８は、最終的な動作位置と閉止位置にあるドア１０２，１０４の間隙状態を制御する。また磁石１０６，１０８は、機構が非係止の際のドア１０２，１０４の開放を補助する。
【００３１】
ラッチ機構１００を開放するため、例えばボタン（図示せず）が押される。これによりボーデンケーブル１２０の遠い方の端部が前述した機構の１つによって引っ張られる。ボーデンケーブル１２０を引くことにより、回転磁石１０６，１０８、マグネットキャリア１１８，１１９及びフック爪１３４，１３６が夫々の係止位置から非係止位置へと回転する。この動作は、フック爪１３４，１３６を夫々の受座１２４，１２６より係合解除し、ドア１０２，１０４を機械的に開放する。加えて、磁石１０６，１０８が夫々の非係止位置へと回転され、そこで磁石はドア１０２，１０４に付けられた磁気インサート１１４，１１６をはねかえし、ドアを旋回開放する。一旦、磁石１０６，１０８が磁気インサート１１４，１１６の磁場の影響を受けなくなり、ボーデンケーブル１２０が解放されたならば、磁石１０６，１０８の内、一方の磁石のＮ極と他方の磁石のＳ極との間の磁力（逆の場合も同様）によって、回転磁石１０６，１０８、磁気インサート１１４，１１６及びフック爪１３４，１３６が非係止位置近くの第１の中間位置（図１５，４１参照）に保持されることになり、この中間位置は閉止位置に向かってドア１０２，１０４が移動した際にドア１０２，１０４をラッチするための準備位置となる。図示した実施形態では、回転磁石１０８のＳ極に対する回転磁石１０６のＮ極の磁力が、回転磁石１０６，１０８、磁気インサート１１４，１１６及びフック爪１３４，１３６を第１の中間位置に保持する。
【００３２】
ドア１０２，１０４を閉じるためドア１０２，１０４の一方が押され閉止される。この動作はドア間の機械的連携（図示せず）を介して他方のドアを閉止位置へと引くことになるが、連携の遊びのために一方のドアが他方のドアに遅れをとることになる。一旦、ドア１０２，１０４が殆ど閉じられた状態になると、回転磁石１０６，１０８、マグネットキャリア１１８，１１９及びフック爪１３４，１３６は、磁気インサート１１４，１１６の磁場の影響下で夫々の係止位置に向けて回転し始めることになり、結果としてこれらは係止位置近くの第２中間位置に位置するようになる。この時点で磁気インサート１１４，１１６と夫々の回転磁石１０６，１０８との間の極力な磁力が、遅れていたドアを加速し、双方のドアを同時に閉じさせると共に、回転磁石１０６，１０８とフック爪１３４，１３６が係止位置へ同時に回転する。この時点ではフック爪１３４，１３６は受座１２４，１２６に係合し、磁気インサート１１４，１１６と回転磁石１０６，１０８との間には強力な磁力が生じている。これにより双方のドアは閉止位置において機械的かつ磁気的に保持される。従って、磁気ラッチ機構１００は、ドア１０２，１０４の機械的連携の遊びと閉止位置近くのドア間の位置的差異を許容しつつもドアをきっちりかつ同時に閉じるラッチシステムを提供する。
【００３３】
仮にドア１０２，１０４間のラグがかなり大きい場合には、遅れ側のドアが閉止位置に到着する前に一方のドアを完全に閉め、回転磁石１０６，１０８とフック爪１３４，１３６の双方を夫々の係止位置に移動させてもよい。そのような場合、遅れ側ドアの受座は、フック爪を前述した軌道の外へと移動させることになり、遅れ側ドアを閉止位置へと移動させ、ここでフック爪と回転磁石が夫々の係止位置に戻り、遅れ側ドアを閉止位置に固定することになる。マグネットキャリア１１８，１１９の連携により、既に閉じられている先行側ドアに対応するフック爪が一時的に受座より外れるかもしれない。しかしながら、一旦遅れ側ドアが完全に閉じたならば先行側ドアのフック爪が再び受座と係合できるくらいの磁力により、この先行側ドアは閉じたままの状態となる。遅れ側ドアの閉じ動作中の全ての時において、遅れ側ドアの受座と回転磁石との間には充分強力な磁力が存在し、上述したように遅れ側ドアの閉じ動作を達成できるほど遅れ側ドアの閉じ動作中の回転磁石移動は僅かであるということが、フック爪とそれぞれの受座の相対的比率から明らかである。
【００３４】
磁気ラッチ機構１００は、ラックバー１１７をその長手軸方向に係止位置と非係止位置との間で選択的に移動するモータドライブ１２１を備えてもよい。即ち、モータドライブ１２１はボーデンケーブル１２０と同じ機能を果たし、例えば、モータドライブ１２１によって磁気ラッチ機構１００を電気的に作動可能にする一方でボーデンケーブルにより手動のオーバーライドを可能にするといったような用途で用いる際のボーデンケーブル１２０の付加システムとして提供される。またこのボーデンケーブル１２０は、余剰の電気作動システムが所望されるような用途に対して電気的に作動することが可能である。
【００３５】
モータドライブ１２１は出力ギア１２７を駆動するモータ１２５を備える。ギア１２７は幾つかの図面ではディスクとして示されているが、当然ながらその周囲に歯を配したギアである。ギヤ１２７はモータ１２５の出力軸によって駆動される。ギヤ１２７はギヤ１２９と定常的に噛み合っている。ギヤ１２９は駆動ネジ１３１と一体構造である。駆動ネジ１３１はハウジング１３２に回転自在に支持されている。駆動ネジ１３１は、スライダ１４３に形成されたボアの相手側雌溝や雌ネジと係合関係にある少なくとも１つの雄ヘリカルネジを有する。スライダ１４３は、ハウジング１３２に支持され、駆動ネジ１３１の回転に応じて直線的な運動をする。スライダ１４３はスライドバー１１５の突起１４７と係合可能な突起１５５を有する。
【００３６】
ラックバー１１７が係止位置にあり、スライドバー１１５がロック位置にある時、スライドバー１１５の突起１４７は突起１５５近くに位置し、スライダ１４３はギヤ１２９から離れた位置にある。これがスライダ１４３の係止位置である。モータ１２５が起動するとギヤ１２７が回転し、ギヤ１２９と駆動ネジ１３１が回転する。この第１方向の駆動ネジ１３１の回転によりスライダ１４３が直線的に移動し、突起１５５を突起１４７に係合させる。駆動ネジ１３１の回転が継続することでスライダ１４３のギヤ１２９に向かう直線運動も継続することとなり、スライドバー１１５はロック位置から非ロック位置へと直線運動する。スライドバー１１５のこの初期移動はラックバー１１７の非係止位置への移動を自由にする。ロック位置から非ロック位置に向かうスライドバー１１５の移動範囲は相対的に制限され、駆動ネジ１３１の更なる回転によりスライダ１４３はギヤ１２９に向かう直線移動を継続し、ラックバー１１７が係止位置から非係止位置へと移動されるようにスライドバー１１５とラックバー１１７の双方を直線移動させる。この結果、回転磁石１０６，１０８、マグネットキャリア１１８，１１９及びフック爪１３４，１３６は、最初に係止位置にあると仮定した場合、夫々の係止位置から非係止位置への回転を余儀なくされる。この時スライダ１４３は非係止位置にある。非係止位置へのラックバー１１７とマグネットキャリア１１８，１１９の移動によりドア１０２，１０４が開くことになる。
【００３７】
非係止作動が終了したならば、適当な制御回路やソフトウエアを用いてモータ１２５の電流を反転し、第１方向とは逆の第２方向へと駆動ネジ１３１を回転させてスライダ１４３を係止位置へと戻し、再び係止サイクルを繰り返す用意をさせる。スライダ１４３を係止位置に戻すと突起１５５が突起１４７よりはずれ、磁石１０６，１０８の内の一方の磁石のＮ極と他方の磁石のＳ極との間の磁力（逆の場合も同じ）により、回転磁石１０６，１０８、マグネットキャリア１１８，１１９及びフック爪１３４，１３６は、閉止位置に向かってドア１０２，１０４を移動する際にドア１０２，１０４を係止するための第１中間位置に保持される。
【００３８】
前述したように、非係止位置では磁石１０６，１０８の反対極間の磁力により、ドア１０２，１０４が再び夫々の閉止位置へと移動されるまで、マグネットキャリア１１８，１１９は夫々の非係止位置近くに保持される。その時、ラッチ１００は、次にドア１０２，１０４が夫々の閉止位置へと移動される場合に備え、その作動サイクルを繰り返す用意をする。
【００３９】
図７２乃至図１０５に本発明の第２実施形態１００aを示す。本実施形態１００aは、以下記述する差異点を除き、先の実施形態１００と本質的に同様である。
【００４０】
ラッチ機構１００aは、その長さ方向に沿って配置された１組の歯１１３を持つラックバー１１７aを備える。１組の歯１１３は複数の歯からなる。歯１１３は、マグネットキャリア１１８，１１９がラックバー１１７aによって連結されるように歯１８７，１８９と連続して噛み合う。ラックバー１１７aは、図９０及び図９３に示す係止位置と、図９４に示す非係止位置との間でその長手軸方向において前後に直線運動できるように支持される。このラックバー１１７aによりマグネットキャリア１１８，１１９が同時に移動でき、以ってキャリアと回転磁石１０６, １０８が共通の作動機構によって係止位置から非係止位置へ移動して２つのドア１０２，１０４を同時開放する。ラックバー１１７aは、ラッチ機構１００aを作動するためのボーデンケーブル１２０の端部において円筒ダボ１０９を受け入れるように形成された受容部１０７を備える。ダボ１０９を受容部１０７に配置し、ボーデンケーブル１２０の遠い方の端部（図示せず）を引っ張ることで、ラックバー１１７aをその係止位置から非係止位置へと直線移動することができる。この結果、回転磁石１０６, １０８、マグネットキャリア１１８，１１９及びフック爪１３４，１３６は、これらが初めに係止位置にあると仮定して、それぞれの係止位置から非係止位置への回転を余儀なくされる。
【００４１】
磁気ラッチ機構１００は又、ラックバー１１７aをその長手軸方向に係止位置と非係止位置との間で選択的に移動するモータドライブ１２１aを備える。モータドライブ１２１aは遠心クラッチ１２７aを駆動するモータ１２５を備える。遠心クラッチ１２７aは公知のものであり、ここでは詳しくは記述しない。遠心クラッチ１２７aはモータ１２５の出力軸によって駆動される。モータ１２５の出力軸が回転すると、細長いロッド(図示せず)が遠心クラッチ１２７aの両側にある開口部から突出し、弓状フィン１２９aと噛み合い、モータ１２５の出力軸を駆動ネジに接続する。モータ１２５の出力軸が回転しない時には、細長いロッドが遠心クラッチ１２７a内へと引き込まれ、駆動ネジ１３１がモータ１２５からの如何なる抵抗なく自由に回転できるように駆動ネジ１３１をモータ１２５から切り離す。弓状フィン１２９aは駆動ネジ１３１と一体構造である。駆動ネジ１３１は、ハウジング１３２aにより回転自在に支持される。駆動ネジ１３１は、スライダ１４３aに形成されたボアの相手側雌溝や雌ネジと係合関係にある少なくとも１つの雄ヘリカルネジを有する。スライダ１４３aは、駆動ネジ１３１の回転に応じて直線的な運動をするようにハウジング１３２aに支持されている。スライダ１４３aはラックバー１１７aの突起１４７aと係合可能な突起１５５aを有する。
【００４２】
ラックバー１１７aが係止位置にある時、スライダ１４３aもまた係止位置にある。モータ１２５が起動することで遠心クラッチ１２７aは弓状フィン１２９aと係合し、駆動ネジ１３１を回転させる。この第１方向の駆動ネジ１３１の回転により、スライダ１４３aはモータ１２５に向かって直線運動し、次いでラックバー１１７aをその係止位置から非係止位置へと直線移動させることになる。この結果、回転磁石１０６, １０８、マグネットキャリア１１８，１１９及びフック爪１３４，１３６は、これらが初めに係止位置にあると仮定して、それぞれの係止位置から非係止位置への回転を余儀なくされる。ラックバー１１７aとマグネットキャリア１１８，１１９の非係止位置への移動によりドア１０２，１０４が開放可能になる。
【００４３】
非係止動作が完了すると、モータ１２５の電流はオフとなり、モータ１２５への電源供給が停止され、結果としてクラッチ１２７aは弓状フィン１２９aや駆動ネジ１３１との接続が解除される。磁石１０６，１０８の内の一方の磁石のＮ極と他方の磁石のＳ極との間の磁力（逆の場合も同じ）により、回転磁石１０６，１０８、マグネットキャリア１１８，１１９及びフック爪１３４，１３６は、閉止位置に向かってドア１０２，１０４を移動する際にドア１０２，１０４を係止するための第１中間位置に保持される。
【００４４】
ドア１０２，１０４が開放される際には回転磁石１０６，１０８とフック爪１３４，１３６は夫々係止位置に回転する。この動作によりスライダ１４３aは係止位置に戻る。係止位置へのスライダ１４３aの直線移動の間、クラッチ１２７aがネジ１３１から接続解除されるため駆動ネジ１３１は自由に回転し、モータ１２５によるスライダ１４３aの係止位置への移動には抵抗がない。
【００４５】
ラックバー１１７aを非係止位置まで押圧し、ラッチを解除するほど大きな慣性力を持つ圧壊や衝突の際には、例えばエアバッグセンサや適切な制御回路に一体化された傾きセンサを用いて、通常の非係止時のモータ１２５の出力軸の回転方向とは逆の方向にモータ１２５が駆動される。この反転モータ作動によってクラッチ１２７aはフィン１２９aと駆動ネジ１３１と係合し、爪と回転磁石をそれぞれの係止位置に保持し、ラッチ１００aを衝突による非係止状態化に対して抵抗させる。
【００４６】
図１０６乃至図１１３に本発明の第３実施形態１００bを示す。本実施形態１００bは、以下記述する差異点を除き、先の実施形態１００と本質的に同様である。実施形態１００bにおいては、モータ１２５の出力軸の長手軸が駆動ネジ１３１の長手軸と一致し、モータ１２５の出力軸が直接、ギヤ１２７，１２９が要らない駆動ネジ１３１に取り付けられる。また、スライダ１４３aはスライダ１４３とは若干形状が異なるが、まったく同様に機能する。その他の点では実施形態１００，１００bは同一である。
【００４７】
提示したこれら実施形態に加え、衝突時、非係止状態になるのに抵抗するラッチを作る沢山の方法が本発明の一部として検討された。限定されるものではないが、これらは：
１） ラックバーにシリコンダンパーを一体化する。これによりシステムは開閉時、減衰される。ラックバーの移動に対するダンパーの抵抗は、圧壊時に直面する衝撃力に応じてかなり大きいものである。これにより、圧壊条件下における有効システム質量慣性を増加することになる。
２） 磁石を備えた完全なアセンブリの質量中心が同アセンブリのピボット軸に出来るだけ近づくようにフック、マグネットキャリア及び回転磁石アセンブリを設計する。これは、圧壊の際に回転磁石アセンブリを非係止状態にしがちな慣性モーメントを最小に抑える。また、直線移動するラックをバランスのとれた回転移動ギヤと交換することも可能である。これにより圧壊時、自身の慣性によって移動しがちな部品をさらに排除することができる（図１１４参照）
３） 図１１４に示すようにフックが互いに向かい合うように、１つの係止点を１８０度回転させる。１個のフックを非係止状態にさせがちな力は、他のフックを係止状態に保持しがちになる。これにより、確実に少なくとも１個のフックと回転磁石が常時係止されたままになる。この時ドア間のリンケージは圧壊の際にドアがパッと開くのを防止する。
４） ドアがパッと開き傾向にある時、キーパーがフックを係止位置に引き戻すように、凹部／アンダーカット１９７を備えたフックやキーパーを設計する（図１１７参照）。
５） 通常の開閉の際、フックや回転磁石が動き出す前にモータ走行を介して開く第２捕捉部を加える。幾つかの実施例では、フックを移動することなくラックバーを数ミリ動かす必要がある可能性がある。図１１５に一例を示す。ここでは閉塞てこ１８１が、非係止方向にマグネットホルダが回転するのを阻止する。閉塞てこはモータにより軌道の外に押される。
６） 図１１６に示したように独立したソレノイド１８５によって作動される第２捕捉部材１８３を加える。捕捉部材は、通常の開閉時、フックや回転磁石が移動する前にラックバー１１７cとの係合解除に向けて移動される。ラックバーを移動させがちな力が捕捉部材を動かしたりしないように（逆の場合も同様）、捕捉部材１８３の移動方向はラックバーの移動方向に垂直である。
７） 通常の開閉時、フックや回転磁石が移動する前にモータ作動により開く第２捕捉部を加える。実施形態１００はこの一例になる。図１１８は別の例を示す。ここでは、スライドバー１１５dがラックバー１１７dを少なくとも部分的に包囲する。ラックバー１１７dは片持ちスプリングアーム１８５dによって支持されるボールベアリングの代りとなる捕捉部材１７２dを有する。スライドバー１１５dには捕捉部材１７２を通過させる穴１７４dが設けられ、スライドバー１１５dがロック位置にある時、捕捉部材はハウジング１３２dの凹部１７３dに係合する。スライドバー１１５dが非係止位置へ移動する際、穴１７４dのエッジはカムのように作用し、ラックバー１１７dを移動から自由にするべく、捕捉部材１７２dを凹部１７３dより係合解除させる（尚、捕捉部材１７２dはラックバー１１７dの両側に設けられることが好ましい）。
【００４８】
図１１９乃至図１７４を参照し、本発明は、第１部材を第２部材に対し閉止位置に固定するための磁気ラッチ機構を対象としており、第１部材は閉止位置と第２部材に対する開放位置との間で移動可能になっている。第１部材は、例えばドアからなり、第２部材は例えばコンパートメントやドア枠であってもよい。図示した例では、１つ又はそれ以上のドアがコンパートメントを閉じるものとして提供される。本発明によるラッチは特に、機械的に連携された２つのドアが閉止位置で固定されるような用途に適している。そのような用途では、２つのドアの内、閉じている側のドアが他方のドアを閉止位置へと移動させる。しかしながら、ドア間の機械的連携は完全ではなく、両ドアの閉じは必ずしも同期しない。閉じの際に一方のドアが他方のドアより僅かに遅れることが往々にしてある。本発明の磁気ラッチでは、ひとたびドアがラッチ磁石の磁場の影響域内に位置したならば、ドアは磁力によって最終的な閉止位置に引かれることになる。従って、２つドアの用途において、ドアがそれらの閉止位置に接近する際、ドアの相対的な位置にかなりの変動があろうとなかろうと各ドアの最終的な閉止位置への移動は、適切に達成される。即ち、本発明のラッチは、仮に一方のドアが他方のドアに対し遅れをとったとしても両ドアを確実に閉止位置に固定するように設計される。
【００４９】
図１１９乃至図１７４に、本発明による２個の回転磁石付き磁気ラッチ機構２００の実施形態を示す。ラッチ機構２００は、２つのドア２０２，２０４をほぼ同時に閉止位置に固定するように設計された遠隔操作式のラッチ機構であり、２個の回転磁石２０６，２０８を使用する。ラッチ機構２００は、その回転磁石２０６，２０８を平行かつ隔置された回転軸周りで回転可能に支持し、ドア２０２，２０４のピボットやヒンジの間に装着されるように設計される。また、回転磁石２０６，２０８は同一方向に回転する。各回転磁石２０６，２０８は分離したマグネットキャリア２１８，２１９に夫々支持される。各マグネットキャリア２１８，２１９はハウジング２３２に回転可能に支持される。回転磁石２０６，２０８の夫々は、回転磁石と夫々のマグネットキャリアが１ユニットとして回転するように、各マグネットキャリア２１８，２１９に取り付けられる。各回転磁石２０６，２０８と夫々のマグネットキャリア２１８，２１９は夫々、係止位置と非係止位置との間で回動可能である。
【００５０】
磁気ラッチ機構２００はまた、１組のフック爪２３４，２３６を備える。各フック爪２３４，２３６は、爪２３４，２３６と夫々のマグネットキャリア２１８，２１９が１ユニットとして回転するようにマグネットキャリア２１８，２１９に支持される。フック爪２３４，２３６の各々は、夫々のマグネットキャリア２１８，２１９から離れる方向に面するベベルカム面２３８と、マグネットキャリア２１８，２１９に対面する捕捉面２４４とを備えたフックヘッド２２２を有する。
【００５１】
磁気ラッチ機構２００はまた、ドア２０２，２０４に夫々取り付け可能な磁気インサート２１４，２１６を備える。磁気インサート２１４，２１６の夫々は、回転磁石２０６，２０８の夫々に対応する。回転磁石２０６，２０８が夫々の係止位置にあって、ドア２０２，２０４が夫々の閉止位置にある時、各磁気インサート２１４，２１６に対向する回転磁石２０６，２０８夫々の各極は、各回転磁石２０６，２０８に対面する磁気インサート２１４，２１６の磁極とは反対のタイプ（即ち、Ｎ極、Ｓ極）になる。図示した例においては、磁気インサート２１４，２１６は、ドア２０２，２０４が閉止位置にある時、夫々のＳ極が各回転磁石２０６，２０８に対面するように配置される。図示例ではまた、回転磁石２０６，２０８は、磁石２０６，２０８とそれらのキャリアが係止位置にあり、かつ各ドア２０２，２０４が閉止位置にある時、各磁石のＮ極が各磁気インサート２１４，２１６に対面するように各キャリア２１８，２１９内に配置される。従って、磁気インサート２１４，２１６を取り付けたドア２０２，２０４が閉止位置に保持された場合、各回転磁石２０６，２０８と各磁気インサート２１４，２１６との間には引力が働く。
【００５２】
更に、フック爪２３４，２３６はドア２０２，２０４の閉止位置から開放位置への運動を機械的に阻止する受座２２４，２２６と夫々係合する。この特徴により、ドア２０２，２０４によって固定されたコンパートメントの外側から強制的にドア２０２，２０４をこじ開けられるのを防いでいる。
【００５３】
磁気ラッチ機構２００は、１組の受座２２４，２２６を有し、夫々は１組のフック爪２３４，２３６の夫々に対応している。各受座２２４，２２６は、受座が各ドアの内面から離れて置かれ、フック爪２３４，２３６のヘッド２２２が各受座２２４，２２６と各ドア２０２，２０４との間で適合できるように、各ドア２０２，２０４により支持される。各受座２２４，２２６は各ドア２０２，２０４から離れた方向に面するカム面２２８と、各ドア２０２，２０４に対向する捕捉面２３０とを備える。各受座のカム面２２８は、各フック爪２３４，２３６のカム面２３８と相互作用し、爪を受座２２４，２２６の軌道の外に移動することができ、各ドアが閉止位置に向けて移動している時、図１２８乃至図１３１に示すようにたまたま各フック爪が係止位置にあるならば、各ドアをその閉止位置へと移動することができる。一旦ドア２０２，２０４が閉止位置に至ると、各回転磁石２０６，２０８・各磁気インサート２１４、２１６間の磁力により各フック爪２３４，２３６が係止位置に移動する。係止位置では、各フック爪２３４，２３６のヘッド２２２は各受座２２４，２２６と、各ドア２０２，２０４との間に位置し、そこでは各フック爪２３４，２３６の捕捉面２４４が各受座２２４，２２６の捕捉面２３０に係合でき、各ドア２０２，２０４の閉止位置から開放位置への移動を機械的に阻止するようになっている。
【００５４】
回転磁石２０６，２０８が非係止位置（図１３２及び図１６２参照）にあって、かつドア２０２，２０４が夫々閉止位置（図１１９参照）にある時、磁気インサート２１４，２１６の磁極とは反対の回転磁石２０６，２０８夫々の各極は、各磁気インサート２１４，２１６から離れて位置する一方、回転磁石２０６，２０８に対面する磁気インサート２１４，２１６の磁極と同じ回転磁石２０６，２０８夫々の各極は、回転磁石２０６，２０８の係止位置に対して、各磁気インサート２１４，２１６により近く位置することになる。この非係止位置においては、各回転磁石２０６，２０８と各磁気インサート２１４，２１６の同極との間に働く反発力が、各回転磁石２０６，２０８と各磁気インサート２１４，２１６の反対極との間に働く引力に打ち勝つ。従って、正味反発力が各磁石２０６，２０８と各磁気インサート２１４，２１６の間に作用する。更に、フック爪２３４，２３６は、回転磁石２０６，２０８や磁石キャリア２１８，２１９と共に夫々の非係止位置へと回転し、それは磁気インサート２１４，２１６を取り付けたドア２０２，２０４が閉止位置から開放位置へと移動される結果をもって、ドア２０２，２０４の開放への機械的な障害を排除する。
【００５５】
ここでは、図示した例において、磁気インサート２１４，２１６は、ドア２０２，２０４が閉止位置にあるとき、夫々のＳ極が各回転磁石２０６，２０８に対面するように配置されることを想起されたい。図示した例においては、回転磁石２０６，２０８と夫々のキャリア２１８，２１９が係止位置から非係止位置へと移動した際には、回転磁石２０６，２０８のＮ極は、磁気インサート２１４，２１６のＳ極から離れる方向に移動し、回転磁石２０６，２０８のＳ極が磁気インサート２１４，２１６に向かって移動することになり、その結果、回転磁石２０６，２０８がそれぞれの非係止位置に到達した際には正味引力が各回転磁石２０６，２０８と磁気インサート２１４，２１６との間に作用する。
【００５６】
回転磁石２０６，２０８とキャリア２１８，２１９が係止位置から非係止位置まで移動する時には、それらは１０°より大きくかつ１８０°以下の範囲の角度で移動する。より好ましくは、回転磁石２０６，２０８とキャリア２１８，２１９は、それらが係止位置から非係止位置まで移動する時には、３０°以上、１８０°以下の範囲の角度をもって移動する。また更に好ましくは、回転磁石２０６，２０８とキャリア２１８，２１９が係止位置から非係止位置まで移動した時には、４５°以上、１４５°以下の範囲の角度をもって移動する。又、より好ましくは、回転磁石２０６，２０８とキャリア２１８，２１９は、それらが係止位置から非係止位置まで移動する時には、６０°以上、１２０°以下の範囲の角度をもって移動する。更に好ましくは、回転磁石２０６，２０８とキャリア２１８，２１９は、それらが係止位置から非係止位置まで移動する時には、８０°以上、１１５°以下の範囲の角度をもって移動する。図示した例では、回転磁石２０６，２０８とキャリア２１８，２１９が係止位置から非係止位置まで移動した際、それらはおおよそ１１０°（１１０°±１０°）の角度をもって移動する。より正確に言えば、図示した例で、回転磁石２０６，２０８とキャリア２１８，２１９が係止位置から非係止位置まで移動した際、それらは約１１０°の角度で移動する。
【００５７】
回転磁石２０６，２０８の反対側の極は、係止位置において各回転磁石２０６，２０８に対面する磁気インサート２１４，２１６の極に直接向かい合う必要はない。回転磁石２０６，２０８は、回転磁石の反対側の極と、磁気インサートの反対側の極との間の直接対面関係から、０°≦θ<９０°の範囲内の角度θで逸脱してもよい。この場合、回転磁石２０６,２０８に対するフック爪の位置は当然それに従って調整されなければならない。当然ながら、回転磁石の反対側の極と、磁気インサートの反対側の極との間の直接対面関係（即ち、０度又は約０°）は、ラッチ機構に対しては最も大きな保持力を提供するため、回転磁石２０６，２０８のＮ極が、その係止位置において、回転磁石の反対側の極・磁気インサートの反対側の極間の直接対面関係に出来るだけ近づくことは好ましいことである。考慮すべきキーポイントは、回転磁石２０６，２０８のＮ極がそれぞれのＳ極よりも、ある程度（即ち、回転磁石がドア２０２，２０４を引張り、ここで述べた閉止位置に保持するのに十分な程の正味引力が、回転磁石２０６，２０８と各磁気インサートとの間に発生するくらい）磁気インサートのＳ極に近くなるように、係止位置にある回転磁石２０６，２０８の角度位置が選択されなければならないということである。図示した例では係止位置において、回転磁石２０６，２０８のN極は、夫々の磁気インサートのS極との直接対面関係から数度ずれている。
【００５８】
各磁気インサート２１４，２１６は、夫々を磁気インサートハウジング２７６，２７８に挿入し、さらにハウジングをドア２０２，２０４の各々に取り付けることでドア２０２，２０４の夫々に取り付けられる。図示した例では、磁気インサートハウジング２７６，２７８はネジ２８０によってドア２０２，２０４に取り付けられる。
【００５９】
磁気インサートハウジング２７６，２７８をドア２０２，２０４に取り付ける手段は本発明においては重要ではなく、ネジ、リベット、ピン、釘、接着剤を含む他のいかなる固定手段を用いてもよい。更に、磁気インサートハウジング２７６，２７８をドア２０２，２０４と一体形成してもよい。磁気インサートハウジング２７６，２７８をそのまま省略し、磁気インサート２１４，２１６を直接ドア２０２，２０４に取り付けてもよい。ハウジング２７６，２７８と同様に、磁気インサート２１４，２１６をドア２０２，２０４に取り付けるのに、ネジ、リベット、ピン、釘、接着剤を含む他のいかなる固定手段を用いてもよい。また別の方法として、磁気インサート２１４，２１６をドア２０２，２０４の材料に埋め込むようにしても良い。
【００６０】
図示実施形態では、受座２２４，２２６は夫々磁気インサートハウジング２７６，２７８と一体形成されている。ハウジング２７６，２７８と同様に、受座２２４，２２６をドア２０２，２０４に取り付ける手段は本発明において重要ではない。フック爪２３４，２３６のヘッド２２２を各受座２２４，２２６と各ドア２０２，２０４との間で適合させるべく各ドアの内面から受座を十分な距離をもって隔てるように受座２２４，２２６を支持するならば、どんな適切な構造でもよく、その構造を各ドアに取り付けるに当たってはネジ、リベット、ピン、釘、接着剤を含む他のいかなる固定手段を用いてもよい。更に、受座２２４，２２６をドア２０２，２０４と一体形成してもよい。
【００６１】
磁気ラッチ機構２００は、夫々回転磁石２０６，２０８を取り付けたマグネットキャリア２１８，２１９を回転自在に支持するハウジング１３２を備える。ハウジング２３２の上部開口部２０５によって、フック爪２３４，２３６はハウジング２３２の外に延び、係止位置にある受座２２４，２２６と係合する。
【００６２】
各マグネットキャリア２１８，２１９は各回転磁石２０６， ２０８を受け入れる受容部２８４，２８６を備える。各マグネットキャリア２１８，２１９はそれぞれ１組のスピンドル２４０，２４２及び２５０，２５２を備え、スピンドルの各組は各受容部２８４，２８６の反対側で外側に突出する。受容部２８４，２８６、即ちキャリア２１８，２１９はハウジング２３２の長手軸に沿って縦一列に並び、ハウジング２３２の長手軸に直角な横の回転軸をもつ。スピンドル２４０，２４２，２５０，２５２は夫々ハウジング２３２の側部の穴２５４，２５６，２５８，２６０に受容され、回転自在に支持される。穴２５４，２５６，２５８，２６０には夫々導入ランプ２６３，２６５，２６７，２６９が設けられ、穴２５４，２５６，２５８，２６０にスピンドル２４０，２４２，２５０，２５２をはめ込んだ形でキャリア２１８，２１９をハウジング２３２にスナップ嵌合できるようになっている。ハウジング２３２はモータ室２４１を持つ。このモータ室２４１用としてカバー２３３が設けられる。このようにしてマグネットキャリア２１８，２１９がハウジング２３２により回転自在に支持される。ハウジング２３２においてマグネットキャリア２１８，２１９を回転支持するために用いられる特定要素は本発明にとって重要なものではない。ハウジング２３２おいてキャリア２１８，２１９を回転自在に支持するべく図示した形態は組み付けの容易性という観点から選択されたものである。あるいはこれとは別に、キャリア２１８，２１９を、心棒やシャフトやピン、又は穴２５４，２５６，２５８，２６０の代りに使用できる他の支持機構を介してハウジング２３２によって回転支持することもできる。また別の例としては、ハウジング２３２をクラムシェル型にし、クラムシェルの半体同士を組み付けた際に、スピンドルを回転自在に支持する適当な支持構造にスピンドル２４０，２４２，２５０，２５２が挿入されるようにすることも可能である。
【００６３】
各フック爪２３４，２３６は各マグネットキャリア２１８，２１９に一体形成される。従って、各受容部２８４，２８６と夫々のフック爪２３４，２３６との間、及び各フック爪２３４，２３６と夫々の受容部２８４，２８６との間には相対回転がなく、即ち各マグネットキャリア２１８，２１９は１つのユニットとして回転する。
【００６４】
或いは、フック爪２３４，２３６をマグネットキャリア２１８，２１９と別に形成し、各フック爪が各マグネットキャリアと共に１ユニットとして回転するようにフック爪をマグネットキャリアに取り付けるようにしてもよい。又、別の例としては、フック爪とマグネットキャリアを夫々独立した部品で形成した場合において、各キャリア２１８，２１９と各フック爪２３４，２３６との間にある範囲の相対運動があるようにしてもよい。このような場合、各キャリア２１８，２１９に対し図示した現在位置に向けて各フック爪２３４，２３６をバネ付勢する必要がある。この相対運動によって、各フック爪２３４，２３６が各受座２２４，２２６の軌道外へと移動することが可能となり、ドアが閉止位置に向けて移動中にある時、各フック爪がたまたま係止位置にあるならば、必ずしも回転磁石２０６，２０８を動かすことなく、ドアを閉止位置に向かって移動させることが可能になる。
【００６５】
各マグネットキャリア２１８，２１９は又、それぞれ複数の歯２８７，２８９を有する。各組の歯２８７，２８９は、各マグネットキャリア２１８，２１９の回転軸を中心とした円の一部からなる円弧に沿って分配される。各マグネットキャリア２１８，２１９の回転軸は、当然ながら、各マグネットキャリア２１８，２１９の各組のスピンドル２４０，２４２又は２５０，２５２の中心軸によって定められる。各マグネットキャリア２１８，２１９の歯２８７，２８９は、マグネットキャリアの各受容部２８４，２８６によって支持され、かつ一体化される。ラックバー２１７の歯２１３が、これらの歯２８７，２８９と噛み合う。
【００６６】
ラッチ機構２００は、その長さ方向に沿って配置された１組の歯２１３を持つラックバー２１７を備える。１組の歯２１３は複数の歯からなる。歯２１３は、マグネットキャリア２１８，２１９がラックバー２１７によって連携するように歯２８７，２８９と連続して噛み合う。ラックバー２１７は、図１３０，１５３，１５６，１６０に示す係止位置と、図１３２，１４９，１６２に示す非係止位置との間でその長手軸方向において前後に直線運動できるように支持される。このラックバー２１７によりマグネットキャリア２１８，２１９が同時に移動でき、以ってキャリアと回転磁石２０６，２０８が共通の作動機構によって係止位置から非係止位置へ移動して２つのドア２０２，２０４を同時開放する。ラックバー２１７は、その直線運動を制限するためのスライドバー２１５を支持する。歯２１３がスライドバー２１５と歯２８７，２８９の中間に位置するように、スライドバー２１５の一部がラックバー２１７によって少なくとも部分的に囲まれる。スライドバー２１５の他の部分はラックバー２１７のスロットから外側に突き出ており、更にラッチ機構２００を作動するためのボーデンケーブル２２０の端部において円筒ダボ２０９を受け入れるように形成された受容部２０７を備える。スライドバー２１５は、ラックバー２１７に対しロック位置と非ロック位置との間で直線的に移動可能である。バネ２７０がスライドバー２１５とラックバー２１７の中間に設けられ、スライドバー２１５をロック位置に向けて付勢する。スライドバー２１５がロック位置にある時、ボールベアリング２７２がラックバー２１７の両側から外側に突き出すように、バネはラックバー２１７の両側にある開口部２７４から外側へと１個又はそれ以上のボールベアリング２７２を押圧する。スライドバー２１５がロック位置にあり、かつラックバー２１７が係止位置にある時、スライドバー２１５が非ロック位置に移動しない限りロックバー２１７が移動できないように、ボールベアリング２７２はハウジング２３２内の凹部２７３に係合する。バネ２７０については、衝突の際に予想される力のもと、スライドバー２１５が自分自身の慣性によって動くことができないようなバネ定数が選択される。このようにして、ボールベアリング２７２と凹部２７３との係合により、実質的にラッチ２００が衝突の際に非係止状態になることを回避し、ラッチ２００を衝突による非係止に対し強くする。図示実施形態では、１個のボールベアリング２７２と、単一の開口部２７４及び単一の凹部２７３が設けられる。
【００６７】
スライドバー２１５は、同バー２１５が非ロック位置にある時、開口部２７４とぴったり合う１つ又はそれ以上の凹部２７５を有する。一旦スライドバー２１５が非ロック位置に位置したならば、凹部２７５によりボールベアリング２７２はラックバー２１７内に引き込むことができ、ラックバー２１７は非係止位置への移動が自由となる。図示実施形態では単一の凹部２７５だけが設けられる。
【００６８】
受容部２０７は、円筒形のバレル又はスリーブ状であり、少なくとも一端が開口している。Ｌ字状スロット２１１がバレル状の受容部２０７の壁を貫く。Ｌ字状スロット２１１は受容部２０７の長さ方向に沿って受容部２０７の開口端からその約中間地点まで延びる。その位置からＬ字状スロット２１１が受容部２０７の長手方向に垂直な円弧に沿って延びることにより“Ｌ”の形ができる。スロット２１１はボ−デンケーブル２２０がスロット２１１を通って延びるほど充分広い。球状の拡大部２０９は、スロット２１１を通って適合せずに受容部２０７内に適合するような他の形状寸法を有してもよい。
【００６９】
ハウジング２３２は、ボーデンケーブル２２０のカバー２２３の一端を支持できるＵ字状スロット２１０を備えたブラケット２０３を有する。ボーデンケーブル２２０によりラッチ機構２００の遠隔操作が可能になる。ボーデンケーブル２２０のカバー２２３の一端をブラケット２０３のＵ字状スロット２１０内に装着し、ダボ２０９を受容部２０７に配置し、ボーデンケーブル２２０の遠い方の端部（図示せず）を引っ張ることで、スライドバー２１５をそのロック位置から非ロック位置へと直線移動することができる。スライドバー２１５のこの初期動作によりラックバー２１７は自由に非係止位置へと移動できるようになる。ロック位置から非ロック位置へのスライドバー２１５の移動範囲は相対的に制限されるが、ボーデンケーブル２２０の遠い方の端部（図示せず）を更に引っ張ると、スライドバー２１５とラックバー２１７が共に直線移動し、この結果ラックバー２１７はその係止位置から非係止位置まで移動する。この結果、回転磁石２０６，２０８、マグネットキャリア２１８，２１９及びフック爪２３４，２３６は、仮にこれらが初め係止位置にあると仮定すると、それぞれの係止位置から非係止位置へと回転することになる。
【００７０】
ボーデンケーブル２２０の遠い方の端部は手動で引いても、或いは電気アクチュエータを使用して引くようにしてもよい。この場合、一般に、このラッチ機構３００の手動又は電気操作のためのユーザーインターフェースとして、幾つかの種類のリモートハンドルやプッシュボタンが夫々提供されるだろう。
【００７１】
ラッチ機構２００は、そのハウジング２３２をフレームやコンパートメント２９４に搭載することにより、フレームやコンパートメント２９４に据え付けられる。回転磁石２０６, ２０８は、磁気インサート２１４，２１６の位置から見て、露出したり見える必要はない。しかしながら、フック爪２３４，２３６がドア枠２９４を通って延び、係止位置まで回転したときに受座２２４，２２６と係合するように、スロット２９６，２９８等をドア枠２９４に設けなければならない。ハウジング２３２をドア枠２９４に取り付ける手段に関しては本発明では重要ではなく、ネジ、リベット、ピン、釘、接着剤を含むいかなる固定手段を用いてもよい。更に、ハウジング２３２はドア枠２９４と一体形成してもよい。
【００７２】
正確かつ確実に両ドアが係止するために磁石２０６， ２０８は、ドア２０２，２０４を引っ張る。磁石２０６, ２０８は、最終的な動作位置と閉止位置にあるドア２０２，２０４の間隙状態を制御する。また磁石２０６，２０８は、機構が非係止の時のドア２０２，２０４の開放を補助する。
【００７３】
ラッチ機構２００を開放するため、例えばボタン（図示せず）が押される。これによりボーデンケーブル２２０の遠い方の端部が前述した機構の１つによって引っ張られる。ボーデンケーブル２２０を引くことにより、回転磁石２０６，２０８、マグネットキャリア２１８，２１９及びフック爪２３４，２３６が夫々の係止位置から非係止位置へと回転する。この動作は、フック爪２３４，２３６を夫々の受座２２４，２２６より外し、ドア２０２，２０４を機械的に解放するものである。加えて、磁石２０６，２０８が夫々の非係止位置へと回転され、そこで磁石はドア２０２，２０４に付けられた磁気インサート２１４，２１６をはねかえし、ドアを旋回開放する。一旦、磁石２０６，２０８が磁気インサート２１４，２１６の磁場の影響を受けなくなり、ボーデンケーブル２２０が解放されたならば、磁石２０６，２０８の内、一方の磁石のＮ極と他方の磁石のＳ極との間の磁力（逆の場合も同様）によって、回転磁石２０６，２０８、磁気インサート２１４，２１６及びフック爪２３４，２３６が非係止位置近くの第１の中間位置（図１２４乃至図１２６に示した磁気ラッチ機構の、開放するも不作動な状態に相当）に保持されることになり、そこで閉止位置に向かってドア２０２，２０４が移動する際にドア２０２，２０４を係止する用意をすることになる。図示した実施形態では、回転磁石２０８のＳ極に対する回転磁石２０６のＮ極の磁力が、回転磁石２０６，２０８、磁気インサート２１４，２１６及びフック爪２３４，２３６を第１の中間位置に保持する。
【００７４】
ドア２０２，２０４を閉じるためドア２０２，２０４の一方が押されて閉止される。この動作はドア間の機械的連携（図示せず）を介して他方のドアを閉止位置へと引くことになるが、連携の遊びのために一方のドアが他方のドアに遅れをとることになる。一旦、ドア２０２，２０４が殆ど閉じられた状態になると、回転磁石２０６，２０８、マグネットキャリア２１８，２１９及びフック爪２３４，２３６は、磁気インサート２１４，２１６の磁場の影響下で夫々の係止位置に向けて回転し始めることになり、結果としてこれらは係止位置近くの第２中間位置に位置するようになる。この時点で磁気インサート２１４，２１６と夫々の回転磁石２０６，２０８との間の極力な磁力が、遅れていたドアを加速し、双方のドアを同時に閉じさせると共に、回転磁石２０６，２０８とフック爪２３４，２３６が係止位置へ同時に回転する。この時点ではフック爪２３４，２３６は受座２２４，２２６に係合し、磁気インサート２１４，２１６と回転磁石２０６，２０８との間には強力な磁力が生じている。これにより双方のドアは閉止位置において機械的かつ磁気的に保持される。この状態は図１３３乃至図１４１に示されている。従って、磁気ラッチ機構２００は、ドア２０２，２０４の機械的連携の遊びと閉止位置近くのドア間の位置的差異を許容しつつもドアをきっちりかつ同時に閉じるラッチシステムを提供する。さらにこの時点では、ラックバー２１７が定位置にロックされ、スライドバー２１５が非ロック位置に移動されなくともラックバーが移動できないように、ボールベアリング２７２はハウジング２３２の凹部２７３と係合する。
【００７５】
仮にドア２０２，２０４間のラグがかなり大きい場合には、遅れ側のドアが閉止位置に到着する前に一方のドアを完全に閉め、回転磁石２０６，２０８とフック爪２３４，２３６の双方を夫々の係止位置に移動させてもよい。この状態は図１３０及び図１３１に示されている。そのような場合、ボールベアリング２７２がラックバー２１７をロックすることになり、結果として係止位置にあるフック爪２３４，２３６をロックする。遅れ側のドアの受座は各フック爪の上部に当たり、完全な閉止位置へ移動不可能となる。このような結果にならないため制御ピン２８１，２８２が設けられる。制御ピン２８１，２８２の夫々は、その一端に突出ラグ２８５を有する細長い軸２８３の形態をとる。制御ピン２８１，２８２は、ハウジング２３２に支持され、進出位置と後退位置との間で軸２８３の長手軸方向に直線移動する。制御ピン２８１，２８２は、夫々スプリング２８８，２９０によってその進出位置に向けてばね付勢される。受座２２４，２２６には夫々、パッド部２９１，２９２が設けられ、対応するドア２０２，２０４が完全閉止位置に移動された時、これらのパッド部は各制御ピン２８１，２８２と係合し、後退位置へと移動させる。
【００７６】
制御ピン２８１，２８２が後退位置にあって初めてラックバー２１７が係止位置と非係止位置との間を自由に移動できるようなる。ラックバー２１７には切欠２９３，２９５が設けられる。部分的に閉じられた磁気ラッチ機構の形態と、図１２８乃至図１３２に示すようなフック爪２３４，２３６のほぼ係止位置とに対応する第２中間位置にラックバー２１７がある時、上記切欠の夫々は各制御ピン２８１，２８２のラグ２８５にぴったり合う。切欠２９３，２９５の夫々は、ラックバー２１７の直線運動方向に垂直な側部と、ラックバー２１７の直線運動方向に対し緩やかに傾斜した側部を有する。どちらかの制御ピン２８１，２８２が進出位置にある時、各々のラグ２８５は夫々の切欠２９３，２９５内に位置し、その際ラグは切欠の最も深い部分に着座し、ラックバー２１７の直線動作方向に垂直な切欠の側部とラグ２８５とが係合することで、係止位置に近い第２中間位置から係止位置へのラックバー２１７の移動を防止する。各切欠２９３，２９５の緩傾斜な側部はカムとして作用することができ、対応する制御ピン２８１，２８２を後退位置へと移動することができる。即ち、制御ピン２８１，２８２はラックバー２１７の非係止位置への移動を防止できない。従って、ドア２０２，２０４の片方又は両方が完全閉止位置の外にある時には、その夫々の制御ピンがラックバー２１７の係止位置（ここではボールベアリング２７２と凹部２７３の係合によりラックバーを定位置にロック可能である）への移動を阻止することになり、遅れ側ドア２０２，２０４の受座が、ラックバー２１７を係止位置にロックした状態でそれぞれ対応したフック爪２３４，２３６と衝突するといったような状況は回避されることになる。
【００７７】
前述したように、ほぼ係止状態か第２中間位置においてフック爪２３４，２３６は、受座２２４，２２６の軌道外へと押し出され、遅れ側ドアを閉止位置に移動することができる。この結果、制御ピン２８１，２８２は共に後退位置に位置することとなり、フック爪と回転磁石の両方は係止位置に移動して両ドアを閉止位置に固定することができる。先行側ドアはこの遅れ側ドアが完全に閉じられるまでは磁力によって閉じたままとなる。遅れ側ドアの閉じ動作中の全ての時において、遅れ側ドアの受座と回転磁石との間には充分強力な磁力が存在し、仮にあるとしても、上述したように遅れ側ドアの閉じ動作を達成できるほど遅れ側ドア閉じ動作中の回転磁石移動は僅かであるということが、フック爪とそれぞれの受座の相対的比率から明らかである。
【００７８】
磁気ラッチ機構２００は、ラックバー２１７をその長手軸方向に係止位置と非係止位置との間で選択的に移動するモータドライブ２２１を備えてもよい。即ち、モータドライブ２２１はボーデンケーブル２２０と同じ機能を果たし、例えば、モータドライブ２２１によって磁気ラッチ機構２００を電気的に作動可能にする一方でボーデンケーブルにより手動のオーバーライドを可能にするといったような用途で用いる際のボーデンケーブル２２０の付加システムとして提供される。またこのボーデンケーブル２２０は、余剰の電気作動システムが好ましい適用例に向けて電気的に作動することが可能である。
【００７９】
モータドライブ２２１は、駆動ネジ２３１に接続された出力軸２２７を有するモータ２２５を備える。駆動ネジ２３１はハウジング２３２に回転自在に支持されている。駆動ネジ２３１は、スライダ２４３に形成されたボアの相手側雌溝や雌ネジと係合関係にある少なくとも１つの雄ヘリカルネジを有する。駆動ネジ２３１の雄ヘリカルネジは図示実施形態のように連続型でも断続型でもよい。スライダ２４３はハウジング２３２に支持され、駆動ネジ２３１の回転に応じて直線的な運動をする。スライダ２４３はスライドバー２１５の突起２４７と係合可能な突起２５５を有する。
【００８０】
ラックバー２１７が係止位置にあり、スライドバー２１５がロック位置にある状態でスライドバー２１５の突起２４７は突起２５５近くに位置し、スライダ２４３はギヤ２２９から離れた位置にある。これがスライダ２４３の係止位置である。モータ２２５が起動すると駆動ネジ２３１が回転する。この第１方向の駆動ネジ２３１の回転によりスライダ２４３が直線的に移動し、突起２５５を突起２４７に係合させる。駆動ネジ２３１の回転が継続することでスライダ２４３のモータ２２５に向かう直線運動も継続することとなり、スライドバー２１５はロック位置から非ロック位置へと直線運動する。スライドバー２１５のこの初期移動はラックバー２１７の非係止位置への移動を自由にする。ロック位置から非ロック位置に向かうスライドバー２１５の移動範囲は相対的に制限され、駆動ネジ２３１の更なる回転によりスライダ２４３はモータ２２５に向かう直線移動を継続し、ラックバー２１７が係止位置から非係止位置へと移動されるようにスライドバー２１５とラックバー２１７の双方を直線移動させる。この結果、回転磁石２０６，２０８、マグネットキャリア２１８，２１９及びフック爪２３４，２３６は、最初に係止位置にあると仮定した場合、夫々の係止位置から非係止位置への回転を余儀なくされる。この時スライダ２４３は非係止位置にある。非係止位置へのラックバー２１７とマグネットキャリア２１８，２１９の移動によりドア２０２，２０４が開くことになる。
【００８１】
非係止作動が終了したならば、適当な制御回路やソフトウエアを用いてモータ２２５の電流を反転し、第１方向とは逆の第２方向へと駆動ネジ２３１を回転させてスライダ２４３を係止位置へと戻し、再び係止サイクルを繰り返す用意をさせる。スライダ２４３を係止位置に戻すと突起２５５が突起２４７よりはずれ、磁石２０６，２０８の内の一方の磁石のＮ極と他方の磁石のＳ極との間の磁力（逆の場合も同じ）により、回転磁石２０６，２０８、マグネットキャリア２１８，２１９及びフック爪２３４，２３６は図１２４乃至図１２６に示す第１中間位置に保持される。この位置は、ドア２０２，２０４を閉止位置に向けて移動する際にドア２０２，２０４の係止するためのものである。
【００８２】
前述したように、一旦ドア２０２，２０４が開いたならば、磁石２０６，２０８の反対極間の磁力によって、ドア２０２，２０４が再び夫々の閉止位置へと移動されるまで、マグネットキャリア２１８，２１９が夫々の非係止位置近くに保持される。このようにして、ラッチ２００は、ドア２０２，２０４が夫々の閉止位置へと移動される次の時に、その作動サイクルを繰り返す用意がある。
【００８３】
ラックバー２１７の下側からフィン２９７が突き出す。更にセンサ２９９がハウジング２３２に設けられる。センサ２９９は、例えば光ダイオードを発する発光ダイオード（ＬＥＤ）を有するものでもよい。ラックバー２１７が第２中間位置、即ち係止位置へのラック移動が進出位置にある制御ピン２８１，２８２の１つによって阻止される係止位置の近くにある時、フィン２９７がセンサ２９９のＬＥＤ（図示せず）による光ダイオードの照射を妨害し、これにより進出位置にある制御ピンの１つを示す信号が出力される。この信号は、例えば閉止位置への１ドアの動きを妨害するグローブボックスの中身などにより適切に閉じられないドア２０２，２０４の１つに対応する。この信号は、磁気ラッチ機構の作動を制御する制御回路やプリント回路基板（ＰＣＢ）（図示せず）に送られる。仮に、ドア２０２，２０４の一方が半開きであることを示す信号が、所定のタイムリミット、又はそれ以上継続して出力されているならば、モータ２２５を作動させてドア２０２，２０４を開き、ユーザー、即ち車両の占有者にドアを再び閉めさせ、確実かつ適当にドアが閉められるように制御回路をプログラミングすることが可能である。
【００８４】
図１７５乃至図２９７を参照し、本発明は、第１部材を第２部材に対し閉止位置に固定するための磁気ラッチ機構を対象としており、第１部材は閉止位置と第２部材に対する開放位置との間で移動可能になっている。第１部材は、例えばドアからなり、第２部材は例えばコンパートメントやドア枠であってもよい。図示した例では、１つ又はそれ以上のドアがコンパートメントを閉じるものとして提供される。本発明によるラッチは特に、機械的に連携された２つのドアが閉止位置で固定されるような用途に適している。そのような用途においては、２つのドアの内、閉じている側のドアが他方のドアを閉止位置へと移動させる。しかしながら、ドア間の機械的連携は完全ではなく、両ドアの閉じは必ずしも同期しない。閉じの際に一方のドアが他方のドアより僅かに遅れることが往々にしてある。本発明の磁気ラッチでは、ひとたびドアがラッチ磁石の磁場の影響域内に位置したならば、ドアは磁力によって最終的な閉止位置に引かれることになる。従って、２つドアの用途において各ドアの最終的な閉止位置への移動は、ドアがそれらの閉止位置に接近する際、ドアの相対的な位置にかなりの変動があろうとなかろうと適切に達成される。即ち、本発明のラッチは、仮に一方のドアが他方のドアに対し遅れをとったとしても両ドアを確実に閉止位置に固定するように設計される。
【００８５】
図１７５乃至図２９７に、本発明による２個の回転磁石付き磁気ラッチ機構３００の実施形態を示す。ラッチ機構３００は、２つのドア３０２，３０４をほぼ同時に閉止位置に固定するように設計された遠隔操作式のラッチ機構であり、２個の回転磁石３０６，３０８を使用する。ラッチ機構３００は、その回転磁石３０６，３０８を平行かつ隔置された回転軸周りで回転可能に支持し、ドア３０２，３０４のピボットやヒンジの間に装着されるように設計される。また、回転磁石３０６，３０８は同一方向に回転する。各回転磁石３０６，３０８は分離したマグネットキャリア３１８，３１９に夫々支持される。各マグネットキャリア３１８，３１９はハウジング３３２に回転可能に支持される。回転磁石３０６，３０８の夫々は、回転磁石と夫々のマグネットキャリアが１ユニットとして回転するように、各マグネットキャリア３１８，３１９に取り付けられる。各回転磁石３０６，３０８と夫々のマグネットキャリア３１８，３１９は夫々、係止位置と非係止位置との間で回動可能である。
【００８６】
磁気ラッチ機構３００はまた、１組のフック爪３３４，３３６を備える。各フック爪３３４，３３６は、爪３３４，３３６と夫々のマグネットキャリア３１８，３１９が１ユニットとして回転するようにマグネットキャリア３１８，３１９に支持される。フック爪３３４，３３６の各々は、夫々のマグネットキャリア３１８，３１９から離れる方向に面するカム面３３８と、マグネットキャリア３１８，３１９に対面する捕捉面２４４とを備えたフックヘッド３２２を有する。
【００８７】
磁気ラッチ機構３００はまた、ドア３０２，３０４に夫々取り付け可能な磁気インサート３１４，３１６を備える。磁気インサート３１４，３１６の夫々は、回転磁石３０６，３０８の夫々に対応する。回転磁石３０６，３０８が夫々の係止位置にあって、ドア３０２，３０４が夫々の閉止位置にある時、各磁気インサート３１４，３１６に対向する回転磁石３０６，３０８夫々の各極は、各回転磁石３０６，３０８に対面する磁気インサート３１４，３１６の磁極とは反対のタイプ（即ち、Ｎ極、Ｓ極）になる。例えば、磁気インサート３１４，３１６は、ドア３０２，３０４が閉止位置にある時、夫々のＳ極が各回転磁石３０６，３０８に対面するように配置されてもよい。この場合、回転磁石３０６，３０８は、磁石３０６，３０８とそれらのキャリアが係止位置にあり、かつ各ドア３０２，３０４が閉止位置にある時、各磁石のＮ極が実質的に各磁気インサート３１４，３１６に対面するように各キャリア３１８，３１９内に配置されるだろう。従って、磁気インサート３１４，３１６を取り付けたドア３０２，３０４が閉止位置に保持された場合、各回転磁石３０６，３０８と各磁気インサート３１４，３１６との間には引力が働く。
【００８８】
更に、フック爪３３４，３３６はドア３０２，３０４の閉止位置から開放位置への運動を機械的に阻止する受座３２４，３２６と夫々係合する。この特徴により、ドア３０２，３０４によって固定されたコンパートメントの外側から強制的にドア３０２，３０４をこじ開けられるのを防いでいる。
【００８９】
磁気ラッチ機構３００は、１組の受座３２４，３２６を有し、その夫々は１組のフック爪３３４，３３６の夫々に対応している。各受座３２４，３２６は、受座が各ドアの内面から離れて置かれ、フック爪３３４，３３６のヘッド３２２が各受座３２４，３２６と各ドア３０２，３０４との間で適合できるように、各ドア３０２，３０４により支持される。各受座３２４，３２６は各ドア３０２，３０４から離れた方向に面するカム面３２８と、各ドア３０２，３０４に対向する捕捉面３３０とを備える。各受座のカム面３２８は、各フック爪３３４，３３６のカム面３３８と相互作用し、爪を受座３２４，３２６の軌道の外に移動することができ、各ドアが閉止位置に向けて移動している時、図２８０に示すようにたまたま各フック爪が係止位置にあるならば、各ドアをその閉止位置へと移動することができる。一旦ドア３０２，３０４が閉止位置に至ると、各回転磁石３０６，３０８・各磁気インサート３１４、３１６間の磁力により各フック爪３３４，３３６が係止位置に移動する。係止位置では、各フック爪３３４，３３６のヘッド３２２は各受座３２４，３２６と、各ドア３０２，３０４との間に位置し、そこでは各フック爪３３４，３３６の捕捉面３４４が各受座３２４，３２６の捕捉面３３０に係合でき、各ドア３０２，３０４の閉止位置から開放位置への移動を機械的に阻止するようになっている。
【００９０】
回転磁石３０６，３０８が非係止位置（図２７８及び図２８９参照）にあって、かつドア３０２，３０４が夫々閉止位置（図２８２乃至図２８４参照）にある時、磁気インサート３１４，３１６の磁極とは反対の回転磁石３０６，３０８夫々の各極は、各磁気インサート３１４，３１６から離れて位置する一方、回転磁石３０６，３０８に対面する磁気インサート３１４，３１６の磁極と同じ回転磁石３０６，３０８夫々の各極は、回転磁石３０６，３０８の係止位置に比較して、各磁気インサート３１４，３１６により近く位置することになる。この非係止位置においては、各回転磁石３０６，３０８と各磁気インサート３１４，３１６の同極との間に働く反発力が、各回転磁石３０６，３０８と各磁気インサート３１４，３１６の反対極との間に働く引力に打ち勝つ。従って、正味反発力が各磁石３０６，３０８と各磁気インサート３１４，３１６の間に作用する。更に、フック爪３３４，３３６は、回転磁石３０６，３０８や磁石キャリア３１８，３１９と共に夫々の非係止位置へと回転し、それは磁気インサート３１４，３１６を取り付けたドア３０２，３０４が閉止位置から開放位置へと移動される結果をもって、ドア３０２，３０４の開放への機械的な障害を排除する。
【００９１】
例えば、再度、磁気インサート３１４，３１６は、ドア３０２，３０４が閉止位置にあるとき、夫々のＳ極が各回転磁石３０６，３０８に対面するように配置されると仮定する。この場合、回転磁石３０６，３０８と夫々のキャリア３１８，３１９が係止位置から非係止位置へと移動した際には、回転磁石３０６，３０８のＮ極は、磁気インサート３１４，３１６のＳ極から離れる方向に移動し、回転磁石３０６，３０８のＳ極が磁気インサート３１４，３１６に向かって移動することになり、その結果、回転磁石３０６，３０８がそれぞれの非係止位置に到達した際には正味引力が各回転磁石３０６，３０８と磁気インサート３１４，３１６との間に作用する。
【００９２】
回転磁石３０６，３０８の反対側の極は、係止位置において各回転磁石３０６，３０８に対面する磁気インサート３１４，３１６の極に直接向かい合う必要はない。非係止位置では、回転磁石３０６，３０８は、回転磁石の反対側の極と、磁気インサートの反対側の極との間の直接対面関係から逸脱してもよい。但し、前述したように閉止動作中に一方のドアが他方のドアに遅れているときでも、回転磁石３０６，３０８と夫々の磁気インサート３１４，３１６との間の正味引力が、信頼性の高いドア３０２，３０４の同時係止を成すのに充分大きいという条件付である。この結果が達成される限りにおいては、磁石３０６，３０８に対面する各磁気インサート３１４，３１６の極と反対側の極性を持つ回転磁石３０６，３０８の極は、磁石３０６，３０８に対面する各磁気インサート３１４，３１６の極に実質上対面しているということができる。当然ながら、回転磁石の反対側の極と、磁気インサートの反対側の極との間の直接対面関係は、ラッチ機構に対しては最も大きな保持力を提供するため、回転磁石３０６，３０８のＮ極が、その係止位置において、回転磁石の反対側の極・磁気インサートの反対側の極間の直接対面関係に出来るだけ近づくことは好ましいことである。考慮すべきキーポイントは、回転磁石３０６，３０８のＮ極がそれぞれのＳ極よりも、ある程度磁気インサートのＳ極に近くなるように（即ち、回転磁石がドア３０２，３０４を引張り、ここで述べた閉止位置に保持するのに十分な程の正味引力が、回転磁石３０６，３０８と各磁気インサートとの間に発生するくらい）、係止位置にある回転磁石３０６，３０８の角度位置が選択されなければならないということである。考えられている例では、係止位置において、回転磁石３０６，３０８のN極は、夫々の磁気インサートのS極との直接対面関係から数度ずれる。
【００９３】
各磁気インサート３１４，３１６は、磁気インサートハウジング３７６，３７８に挿入され、更にハウジングをドア３０２，３０４の夫々に取り付けることで、ドア３０２，３０４の各々に取り付けられる。図示した例では、磁気インサートハウジング３７６，３７８はネジ３８０によってドア３０２，３０４に取り付けられ、ネジの頭は磁気インサートハウジング３７６，３７８の材料内に埋め込まれる。ネジ３８０はドア３０２，３０４のネジ穴と係合し、ネジ３８０を回すことにより、ドア３０２，３０４の内面上での磁気インサートハウジング３７６，３７８の高さ、言い換えれば受座３２４，３２６の高さを調整できる。
【００９４】
磁気インサートハウジング３７６，３７８をドア３０２，３０４に取り付ける手段は本発明においては重要ではなく、ネジ、リベット、ピン、釘、接着剤を含む他のいかなる固定手段を用いてもよい。更に、磁気インサートハウジング３７６，３７８をドア３０２，３０４と一体形成してもよい。磁気インサートハウジング３７６，３７８をそのまま省略し、磁気インサート３１４，３１６を直接ドア３０２，３０４に取り付けてもよい。ハウジング３７６，３７８と同様に、磁気インサート３１４，３１６をドア３０２，３０４に取り付けるのに、ネジ、リベット、ピン、釘、接着剤を含む他のいかなる固定手段を用いてもよい。また別の方法として、磁気インサート３１４，３１６をドア３０２，３０４の材料に埋め込むようにしても良い。
【００９５】
しかしながら、磁気インサート３１４，３１６をドア３０２，３０４に取り付けるにあたっては図示した手段を使用するのが好ましい。何故なら、図示手段はドア３０２，３０４の内面上の受座３２４，３２６の高さ調整が可能であり、それによって閉止位置のドア３０２，３０４とハウジング３３２との間にできた間隙のバラツキを抱き込むことができるからである。
【００９６】
図示実施形態では、受座３２４，３２６は夫々磁気インサートハウジング３７６，３７８と一体形成されている。ハウジング３７６，３７８と同様に、受座３２４，３２６をドア３０２，３０４に取り付ける手段は本発明において重要ではない。フック爪３３４，３３６のヘッド２２２を各受座３２４，３２６と各ドア３０２，３０４との間で適合させるべく各ドアの内面から受座を十分な距離をもって隔てるように受座３２４，３２６を支持するならば、どんな適切な構造でもよく、その構造を各ドアに取り付けるに当たってはネジ、リベット、ピン、釘、接着剤を含む他のいかなる固定手段を用いてもよい。更に、受座３２４，３２６をドア３０２，３０４と一体形成してもよい。
【００９７】
磁気ラッチ機構３００は、夫々回転磁石３０６，３０８を取り付けたマグネットキャリア３１８，３１９を回転自在に支持するハウジング３３２を備える。ハウジング３３２の上部開口部３０５によって、フック爪３３４，３３６はハウジング３３２の外に延び、係止位置にある受座３２４，３２６と係合する。
【００９８】
各マグネットキャリア３１８，３１９は各回転磁石３０６，３０８を受け入れる受容部３８４，３８６を備える。各マグネットキャリア３１８，３１９はそれぞれ１組のスピンドル３４０，３４２及び３５０，３５２を備え、スピンドルの各組は各受容部３８４，３８６の反対側で外側に突出する。受容部３８４，３８６、即ちキャリア３１８，３１９はハウジング３３２の長手軸に沿って縦一列に並び、ハウジング３３２の長手軸に直角な横の回転軸をもつ。スピンドル３４０，３４２，３５０，３５２はハウジング３３２の側部の穴３５４，３５６，３５８，３６０に受容され、回転自在に支持される。このようにして、マグネットキャリア３１８，３１９はハウジング３３２によって回転自在に支持される。図示例では、スピンドル３４０，３４２，３５０，３５２は角張っている。ハウジング３３２はモータ室３４１を持つ。回路基板３６３のためのカバー３３５が設けられる。穴３５６，３６０がハウジング３３２を部分的に構成するカバープレート３３３に設けられる。また、ハウジング３３２においてマグネットキャリア３１８，３１９を回転支持するために用いられる特定要素は本発明にとって重要なものではない。
【００９９】
各フック爪３３４，３３６は各マグネットキャリア３１８，３１９に一体形成される。従って、各受容部３８４，３８６と夫々のフック爪３３４，３３６との間、及び各フック爪３３４，３３６と夫々の受容部３８４，３８６との間には相対回転がなく、即ち各マグネットキャリア３１８，３１９は１つのユニットとして回転する。
【０１００】
各マグネットキャリア３１８，３１９は又、それぞれ複数の歯３８７，３８９を有する。各組の歯３８７，３８９は、各マグネットキャリア３１８，３１９の回転軸を中心とした円の一部からなる円弧に沿って分配される。各マグネットキャリア３１８，３１９の回転軸は、当然ながら、各マグネットキャリア３１８，３１９の各組のスピンドル３４０，３４２又は３５０，３５２の中心軸によって定められる。各マグネットキャリア３１８，３１９の歯３８７，３８９は、マグネットキャリアの各受容部３８４，３８６によって支持され、かつ一体化される。ラックバー３１７の歯３１３，３３７が、マグネットキャリア３１８，３１９の歯３８７，３８９と夫々噛み合う。
【０１０１】
ラッチ機構３００は、その長さ方向に沿って配置された第１組及び第２組の歯３１３，３３７を持つラックバー３１７を備える。歯３１３，３３７の各組は複数の歯からなる。歯３１３，３３７は、マグネットキャリア３１８，３１９がラックバー３１７によって連携するように歯３８７，３８９と連続して噛み合う。ラックバー３１７は、図１７５、図２８２乃至図２８６に示す係止位置と、図２７８，２８９に示す非係止位置との間でその長手軸方向において前後に直線運動できるように支持される。このラックバー３１７によりマグネットキャリア３１８，３１９が同時に移動でき、以ってキャリアと回転磁石３０６，３０８が共通の作動機構によって係止位置から非係止位置へ移動して２つのドア３０２，３０４を同時開放する。ラックバー３１７は、その直線運動を制限するためのスライドバー３１５を支持する。歯３１３がスライドバー３１５と歯３８７，３８９の中間に位置するように、スライドバー３１５の一部がラックバー３１７によって少なくとも部分的に囲まれる。突起３０７がスライドバー３１５から突き出し、フレキシブルリンク３３９と係合可能になっている。フレキシブルリンク３３９は、可撓性のリボン又はストラップ部３４５と、ボーデンケーブル２２０へ取り付けるための受容部３６９と、スライドバー３１５の突起３０７と係合し、スライドバー３１５をラックバー３１７に対するロック位置から非ロック位置へと移動し、次いでラックバー３１７が非係止位置に位置するスライドバー３１５とラックバー３１７を引っ張るためのバーブ又は突起３４９とを備える。リンク３３９のストラップ部３４５は、曲がり易くも、ラックバー３１７に対してスライドバー３１５を非係止位置に引っ張り、かつその後降伏点に至ることなくラックバー３１７が非係止位置に至るまでスライドバー３１５とラックバー３１７の両方を引くのに充分なくらい高い引張り強さを有している。受容部３６９はラッチ機構３００を作動するためのボーデンケーブル２２０の端部の球形拡大部２０９を受け入れるように形成されている。リンク３３９のストラップ部３４５は、ハウジング３３２のＵ字軌道３５１内に位置する。この配置構造により、スライドバー３１５とラックバー３１７を、ハウジング３３２外部へボーデンケーブル２２０を引く方向とは反対の方向に引くことができるようになる。別実施形態として、ボーデンケーブルをスライドバー３１５に直接係合させ、ハウジング３３２のＵ字軌道を介して配索することもした可能であるが、図示した形態が組み付け及び製造の容易性という観点から好ましい。スライドバー３１５は、ラックバー３１７に対しロック位置と非ロック位置との間で直線的に移動可能である。バネ３７０がスライドバー３１５とラックバー３１７の間で作用し、スライドバー３１５をロック位置に向けて付勢する。スプリング３７０はラックバー３１７のキャビティ３５３内に収納される。スライドバー３１５がロック位置にある時、ボールベアリング３７２がラックバー３１７の上部側から外側に突き出すように、上記バネはボールベアリング３７２をラックバー３１７の上部側にある開口部２７４の外側へと押圧する。スライドバー３１５がロック位置にあり、かつラックバー３１７が係止位置にある時、スライドバー３１５が最初に非ロック位置に移動しない限りロックバー３１７が移動できないように、ボールベアリング３７２はハウジング３３２内の凹部３７３に係合する。バネ３７０については、衝突の際に予想される力のもと、スライドバー３１５が自分自身の慣性によって動くことができないようなバネ定数が選択される。このようにして、ボールベアリング３７２と凹部３７３との係合により、実質的にラッチ３００が衝突の際に非係止状態になることを回避し、ラッチ３００を衝突による非係止に対し強くする。
【０１０２】
スライドバー３１５は、同バー３１５が非ロック位置にある時、開口部２７４とぴったり合う凹部３７５を有する。一旦スライドバー３１５が非ロック位置に位置したならば、凹部３７５によりボールベアリング３７２はラックバー３１７内に引き込むことができ、ラックバー３１７は非係止位置への移動が自由となる。
【０１０３】
受容部３６９は、その一端が開口しており、受容部３６９の底より一方の側にある程度下方に延びるスロット３１１を備える。スロット３１１は、受容部３６９の開口端からその底部へと受容部３６９の長さに沿って延び、かつ受容部の底部の直径部分に沿って延びる。スロット３１１はボ−デンケーブル２２０がスロット３１１を通って延びるほど充分広い。球状の拡大部２０９は、スロット３１１を通って適合せずに受容部３０７内に適合するような他の形状寸法を有してもよい。
【０１０４】
ハウジング３３２は、ボーデンケーブル２２０のカバー２２３の一端を支持できるＵ字状スロット３１０を備えたブラケット３０３を有する。ボーデンケーブル２２０によりラッチ機構３００の遠隔操作が可能になる。ボーデンケーブル２２０のカバー２２３の一端をブラケット３０３のＵ字状スロット３１０内に装着し、球状の核大部２０９を受容部３０７に配置し、ボーデンケーブル２２０の遠い方の端部（図示せず）を引っ張ることで、スライドバー３１５をそのロック位置から非ロック位置へと直線移動することができる。スライドバー３１５のこの初期動作によりラックバー３１７は自由に非係止位置へと移動できるようになる。ロック位置から非ロック位置へのスライドバー３１５の移動範囲は相対的に制限されるが、ボーデンケーブル２２０の遠い方の端部（図示せず）を更に引っ張ると、スライドバー３１５とラックバー３１７が共に直線移動し、この結果ラックバー３１７はその係止位置から非係止位置まで移動する。この結果、回転磁石３０６，３０８、マグネットキャリア３１８，３１９及びフック爪３３４，３３６は、仮にこれらが初め係止位置にあると仮定すると、それぞれの係止位置から非係止位置へと回転することになる。
【０１０５】
ボーデンケーブル２２０の遠い方の端部は手動で引いても、或いは電気アクチュエータを使用して引くようにしてもよい。この場合、一般に、このラッチ機構３００の手動又は電気操作のためのユーザーインターフェースとして、幾つかの種類のリモートハンドルやプッシュボタンが夫々提供されるだろう。
【０１０６】
ラッチ機構３００は、ドア３０２，３０４により固定されるコンパートメントに据え付けられる。
【０１０７】
正確かつ確実に両ドアが係止するために磁石３０６，３０８は、ドア３０２，３０４を引っ張る。磁石３０６，３０８は、ドア３０２，３０４を閉じる際のそれらの最終的な移動と最終位置を制御する。磁石３０６，３０８は、機構が非係止の時のドア３０２，３０４の開放をも補助する。
【０１０８】
ラッチ機構３００を開放するため、例えばボタン（図示せず）が押される。これによりボーデンケーブル２２０の遠い方の端部が前述した機構の１つによって引っ張られる。ボーデンケーブル２２０を引くことにより、回転磁石３０６，３０８、マグネットキャリア３１８，３１９及びフック爪３３４，３３６が夫々の係止位置から非係止位置へと回転する。この動作は、フック爪３３４，３３６を夫々の受座３２４，３２６から外し、ドア３０２，３０４を機械的に解放するものである。加えて、磁石３０６，３０８が夫々の非係止位置へと回転され、そこで磁石はドア３０２，３０４に付けられた磁気インサート３１４，３１６をはねかえし、ドアを旋回開放する。一旦、磁石３０６，３０８が磁気インサート３１４，３１６の磁場の影響を受けなくなり、ボーデンケーブル２２０が解放されたならば、磁石３０６，３０８の内、一方の磁石のＮ極と他方の磁石のＳ極との間の磁力（逆の場合も同様）によって、回転磁石３０６，３０８、磁気インサート３１４，３１６及びフック爪３３４，３３６が非係止位置近くの第１の中間位置（図１７７，１７８、２９０に示した磁気ラッチ機構の、開放するも不作動で静止している状態に相当）に保持されることになり、そこで閉止位置に向かってドア３０２，３０４が移動する際にドア３０２，３０４を係止するための用意をする。図示した実施形態では、回転磁石３０８のＳ極に対する回転磁石３０６のＮ極の磁力が、回転磁石３０６，３０８、磁気インサート３１４，３１６及びフック爪３３４，３３６を第１の中間位置に保持している。
【０１０９】
ドア３０２，３０４を閉じるためドア３０２，３０４の一方が押されて閉止される。この動作はドア間の機械的連携（図示せず）を介して他方のドアを閉止位置へと引くことになるが、連携の遊びのために一方のドアが他方のドアに遅れをとることになる。一旦、ドア３０２，３０４が殆ど閉じられた状態になると、回転磁石３０６，３０８、マグネットキャリア３１８，３１９及びフック爪３３４，３３６は、磁気インサート３１４，３１６の磁場の影響下で夫々の係止位置に向けて回転し始めることになり、結果としてこれらは係止位置近くの第２中間位置に位置するようになる。この時点で磁気インサート３１４，３１６と夫々の回転磁石３０６，３０８との間の極力な磁力が、遅れていたドアを加速し、双方のドアを同時に閉じさせると共に、回転磁石３０６，３０８とフック爪３３４，３３６が係止位置へ同時に回転する。この時点ではフック爪３３４，３３６は受座３３４，３２６に係合し、磁気インサート３１４，３１６と回転磁石３０６，３０８との間には強力な磁力が生じている。これにより双方のドアは閉止位置において機械的かつ磁気的に保持される。この状態は図２８２乃至図２８６に示されている。従って、磁気ラッチ機構３００は、ドア３０２，３０４の機械的連携の遊びと閉止位置近くのドア間の位置的差異を許容しつつもドアをきっちりかつ同時に閉じるラッチシステムを提供する。さらにこの時点では、ラックバー３１７が定位置にロックされ、スライドバー３１５が非ロック位置に移動されなくともラックバーが移動できないように、ボールベアリング３７２はハウジング３３２の凹部３７３と係合する。
【０１１０】
仮にドア３０２，３０４間のラグがかなり大きい場合には、遅れ側のドアが閉止位置に到着する前に一方のドアを完全に閉め、回転磁石３０６，３０８とフック爪３３４，３３６の双方を夫々の係止位置に移動させてもよい。そのような場合、ボールベアリング３７２がラックバー３１７をロックすることになり、結果として係止位置にあるフック爪３３４，３３６をロックする。遅れ側のドアの受座は各フック爪の上部に当たり、完全な閉止位置へ移動不可能となる。このような結果にならないため制御ピン３８１，３８２が設けられる。制御ピン３８１，３８２の夫々は、その一端に突出ラグ３８５を有する細長い軸３８３の形態をとる。制御ピン３８１，３８２は、ハウジング３３２に支持され、進出位置と後退位置との間で軸３８３の長手軸方向に直線移動する。制御ピン３８１，３８２は、夫々スプリング３８８，３９０によってその進出位置に向けてばね付勢される。受座３２４，３２６には夫々、パッド部３９１，３９２が設けられ、対応するドア３０２，３０４が完全閉止位置に移動された時、これらのパッド部は各制御ピン３８１，３８２と係合し、後退位置へと移動させる。
【０１１１】
制御ピン３８１，３８２が後退位置にあって初めてラックバー３１７が係止位置と非係止位置との間を自由に移動できるようなる。ラックバー３１７にはタブ３９３，３９５が設けられ、部分的に閉じられた磁気ラッチ機構の形態と図２８０に示すようなフック爪３３４，３３６のほぼ係止位置とに対応する第２中間位置にラックバー３１７がある時、上記タブの夫々は各制御ピン３８１，３８２のラグ３８５に係合される。タブ３９３，３９５の夫々は、ラックバー３１７の直線運動方向に垂直な側部を有する。どちらかの制御ピン３８１，３８２が進出位置にある時、各々のラグ３８５は、夫々のタブ３９３，３９５を妨害するように位置する。これによりラグ３８５は、ラックバー３１７の直線動作方向に垂直なタブ側部と係合することで、係止位置に近い第２中間位置から係止位置にラックバー３１７が移動するのを防止する。従って、ドア３０２，３０４の片方又は両方が完全閉止位置の外にある時には、その夫々の制御ピンがラックバー３１７の係止位置（ここではボールベアリング３７２と凹部３７３の係合によりラックバーを定位置にロック可能である）への移動を阻止することになり、遅れ側ドア３０２，３０４の受座が、ラックバー３１７を係止位置にロックした状態でそれぞれ対応したフック爪３３４，３３６と衝突するといったような状況は回避されることになる。
【０１１２】
前述したように、ほぼ係止状態か第２中間位置においてフック爪３３４，３３６は、受座３３４，３２６の軌道外へと押し出され、遅れ側ドアを閉止位置に移動することができる。この結果、制御ピン３８１，３８２は共に後退位置に位置することとなり、フック爪と回転磁石の両方は係止位置に移動して両ドアを閉止位置に固定することができる。先行側ドアはこの遅れ側ドアが完全に閉じられるまでは磁力によって閉じたままとなる。遅れ側ドアの閉じ動作中の全ての時において、遅れ側ドアの受座と回転磁石との間には充分強力な磁力が存在し、仮にあるとしても、上述したように遅れ側ドアの閉じ動作を達成できるほど遅れ側ドア閉じ動作中の回転磁石移動は僅かであるということが、フック爪とそれぞれの受座の相対的比率から明らかである。
【０１１３】
磁気ラッチ機構３００は、ラックバー３１７をその長手軸方向に係止位置と非係止位置との間で選択的に移動するモータドライブ３２１を備えてもよい。即ち、モータドライブ３２１はボーデンケーブル２２０と同じ機能を果たし、例えば、モータドライブ３２１によって磁気ラッチ機構３００を電気的に作動可能にする一方でボーデンケーブルにより手動のオーバーライドを可能にするといったような用途で用いる際のボーデンケーブル２２０の付加システムとして提供される。またこのボーデンケーブル２２０は、余剰の電気作動システムが好ましい適用例に向けて電気的に作動することが可能である。
【０１１４】
モータドライブ３２１は、駆動ネジ３３１に接続された出力軸３２７を有するモータ３２５を備える。駆動ネジ３３１はハウジング３３２に回転自在に支持されている。駆動ネジ３３１は、スライダ３４３に形成されたボアの相手側雌溝や雌ネジと係合関係にある少なくとも１つの雄ヘリカルネジを有する。駆動ネジ３３１の雄ヘリカルネジは図示実施形態のように連続型でも断続型でもよい。スライダ３４３はハウジング３３２に支持され、駆動ネジ３３１の回転に応じて直線的な運動をする。スライダ３４３はスライドバー３１５のフォーク３４７と係合し、フォークは駆動ネジ３３１に跨って、スライドバー３１５を非ロック位置に移動させ、次いでラックバー３１７が非係止位置に移動されるようにスライドバー３１５とラックバー３１７を直線移動させる。
【０１１５】
モータ３２５と駆動ネジ３３１とのカップリングは、出力軸３２７に固定されてリングギヤ３５９の内側歯と噛み合うピニオンギヤ３５５からなり、リングギヤ３５９は駆動ネジ３３１の一端に固定されている。駆動ネジ３３１とリングギヤ３５９とはそれらが１つのユニットとして回転するように取り付けられるが、これらを一体構造化してもよい。この構造は、モータ３２５に必要な出力トルクを減じる。
【０１１６】
ラックバー３１７が係止位置にあり、スライドバー３１５がロック位置にある状態でスライドバー３１５のフォーク３４７は、モータ３２５から離れたスライダ３４３近くに位置することになる。これがスライダ３４３の係止位置である。モータ３２５が起動すると駆動ネジ３３１が回転する。この第１方向の駆動ネジ３３１の回転によりスライダ３４３が直線的に移動し、スライダを突フォーク３４７に係合させる。駆動ネジ３３１の回転が継続することでスライダ３４３のモータ３２５に向かう直線運動も継続することとなり、スライドバー３１５はロック位置から非ロック位置へと直線運動する。スライドバー３１５のこの初期移動は、ラックバー３１７の非係止位置への移動を自由にする。ロック位置から非ロック位置に向かうスライドバー３１５の移動範囲は相対的に制限され、駆動ネジ３３１の更なる回転によりスライダ３４３はモータ３２５に向かう直線移動を継続し、ラックバー３１７が係止位置から非係止位置へと移動されるようにスライドバー３１５とラックバー３１７の双方を直線移動させる。この結果、回転磁石３０６，３０８、マグネットキャリア３１８，３１９及びフック爪３３４，３３６は、最初に係止位置にあると仮定した場合、夫々の係止位置から非係止位置への回転を余儀なくされる。この時スライダ３４３は非係止位置にある。非係止位置へのラックバー３１７とマグネットキャリア３１８，３１９の移動によりドア３０２，３０４が開くことになる。
【０１１７】
非係止作動が終了したならば、適当な制御回路やソフトウエアを用いてモータ３２５の電流を反転し、第１方向とは逆の第２方向へと駆動ネジ３３１を回転させてスライダ３４３を係止位置へと戻し、再び係止サイクルを繰り返す用意をさせる。スライダ３４３を係止位置に戻すとスライダ３４３がフォーク３４７よりはずれ、磁石３０６，３０８の内の一方の磁石のＮ極と他方の磁石のＳ極との間の磁力（逆の場合も同じ）により、回転磁石３０６，３０８、マグネットキャリア３１８，３１９及びフック爪３３４，３３６は図２９０に示す第１中間位置に保持される。この中間位置は、ドア３０２，３０４を閉止位置に向けて移動する際にドア３０２，３０４を係止するべく用意した位置である。
【０１１８】
前述したように、一旦ドア３０２，３０４が開いたならば、磁石３０６，３０８の反対極間の磁力によって、ドア３０２，３０４が再び夫々の閉止位置へと移動されるまで、マグネットキャリア３１８，３１９が夫々の非係止位置近くに保持される。このようにして、ラッチ３００は、ドア３０２，３０４が夫々の閉止位置へと移動される次の時に、その作動サイクルを繰り返す用意がある。
【０１１９】
ラックバー３１７の一側からフィン３９７が突き出す。更にセンサ３９９，３６１がハウジング３３２によって支持された回路基板３６３上に設けられる。センサ３９９，３６１は、例えば光ダイオードを発する発光ダイオード（ＬＥＤ）を有するものでもよい。ラックバー３１７が第２中間位置、即ち係止位置へのラック移動が進出位置にある制御ピン３８１，３８２の１つによって阻止される係止位置の近くにある時、フィン３９７がセンサ３９９，３６１のＬＥＤ（図示せず）による光ダイオードの照射を妨害し、これにより進出位置にある制御ピンの１つに対応した故障状態を示す信号が出力される。この信号は、例えば閉止位置への１ドアの動きを妨害するグローブボックスの中身などにより適切に閉じられないドア３０２，３０４の１つに対応する。この信号は、磁気ラッチ機構の作動を制御する制御回路やプリント回路基板（ＰＣＢ）３６３に送られる。制御回路はマイクロプロセッサをベースとし、プログラミング可能となっている。仮に、ドア３０２，３０４の一方が半開きであることを示す信号が、所定のタイムリミット、又はそれ以上継続して出力されているならば、モータ３２５を作動させてドア３０２，３０４を開き、ユーザー、即ち車両の占有者にドアを再び閉めさせ、確実かつ適当にドアが閉められるように制御回路をプログラミングすることが可能である。
【０１２０】
回路基板３６３は、モータ３２５に差し込まれ電源をモータ３２５に供給するための突起３６５も携える。また、回路基板３６３は電源と信号線とを接続するジャック３６７も携える。
【０１２１】
ラックバー３１７が係止位置にある時、フィン３９７は、両センサ３９９，３６１の対応ＬＥＤによる光ダイオードの照射を妨害することで、ドア３０２，３０４が閉じられていることを示す信号が出力される。この信号により、回路基板３６３は、ドアを開ける次の信号が入力されるまでスリープモードに入ることになる。
【０１２２】
ラックバー３１７が非係止位置にある時には、対応ＬＥＤを介したどちらのセンサ３９９，３６１による光ダイオードの照射もフィン３９７によっては妨害されず、結果としてドア３０２，３０４が開いていることを示す信号が出力される。この時、回路基板３６３は動作中のままであり、ドアが閉じられるまではコンパートメントライトのオン状態をキープする。ドアが開いた状態での電源異常後は、回路基板３６３は電源オン後にコンパートメントライトを点灯する。
【０１２３】
バネ３７１はフレキシブルリンク３３９を図１７５に示す係止位置に付勢する。
【０１２４】
本発明は上述した実施形態に限定されるものではないことが理解されるべきである。更に、上述した本発明の実施形態は、その精神と基本的な特徴から逸脱することなく当業者により種々の改良、変更、応用が可能であることが理解されるべきである。
【図面の簡単な説明】
【０１２５】
【図１】本発明の第１実施形態を示す図である。
【図２】本発明の第１実施形態を示す図である。
【図３】本発明の第１実施形態を示す図である。
【図４】本発明の第１実施形態を示す図である。
【図５】本発明の第１実施形態を示す図である。
【図６】本発明の第１実施形態を示す図である。
【図７】本発明の第１実施形態を示す図である。
【図８】本発明の第１実施形態を示す図である。
【図９】本発明の第１実施形態を示す図である。
【図１０】本発明の第１実施形態を示す図である。
【図１１】本発明の第１実施形態を示す図である。
【図１２】本発明の第１実施形態を示す図である。
【図１３】本発明の第１実施形態を示す図である。
【図１４】本発明の第１実施形態を示す図である。
【図１５】本発明の第１実施形態を示す図である。
【図１６】本発明の第１実施形態を示す図である。
【図１７】本発明の第１実施形態を示す図である。
【図１８】本発明の第１実施形態を示す図である。
【図１９】本発明の第１実施形態を示す図である。
【図２０】本発明の第１実施形態を示す図である。
【図２１】本発明の第１実施形態を示す図である。
【図２２】本発明の第１実施形態を示す図である。
【図２３】本発明の第１実施形態を示す図である。
【図２４】本発明の第１実施形態を示す図である。
【図２５】本発明の第１実施形態を示す図である。
【図２６】本発明の第１実施形態を示す図である。
【図２７】本発明の第１実施形態を示す図である。
【図２８】本発明の第１実施形態を示す図である。
【図２９】本発明の第１実施形態を示す図である。
【図３０】本発明の第１実施形態を示す図である。
【図３１】本発明の第１実施形態を示す図である。
【図３２】本発明の第１実施形態を示す図である。
【図３３】本発明の第１実施形態を示す図である。
【図３４】本発明の第１実施形態を示す図である。
【図３５】本発明の第１実施形態を示す図である。
【図３６】本発明の第１実施形態を示す図である。
【図３７】本発明の第１実施形態を示す図である。
【図３８】本発明の第１実施形態を示す図である。
【図３９】本発明の第１実施形態を示す図である。
【図４０】本発明の第１実施形態を示す図である。
【図４１】本発明の第１実施形態を示す図である。
【図４２】本発明の第１実施形態を示す図である。
【図４３】本発明の第１実施形態を示す図である。
【図４４】本発明の第１実施形態を示す図である。
【図４５】本発明の第１実施形態を示す図である。
【図４６】本発明の第１実施形態を示す図である。
【図４７】本発明の第１実施形態を示す図である。
【図４８】本発明の第１実施形態を示す図である。
【図４９】本発明の第１実施形態を示す図である。
【図５０】本発明の第１実施形態を示す図である。
【図５１】本発明の第１実施形態を示す図である。
【図５２】本発明の第１実施形態を示す図である。
【図５３】本発明の第１実施形態を示す図である。
【図５４】本発明の第１実施形態を示す図である。
【図５５】本発明の第１実施形態を示す図である。
【図５６】本発明の第１実施形態を示す図である。
【図５７】本発明の第１実施形態を示す図である。
【図５８】本発明の第１実施形態を示す図である。
【図５９】本発明の第１実施形態を示す図である。
【図６０】本発明の第１実施形態を示す図である。
【図６１】本発明の第１実施形態を示す図である。
【図６２】本発明の第１実施形態を示す図である。
【図６３】本発明の第１実施形態を示す図である。
【図６４】本発明の第１実施形態を示す図である。
【図６５】本発明の第１実施形態を示す図である。
【図６６】本発明の第１実施形態を示す図である。
【図６７】本発明の第１実施形態を示す図である。
【図６８】本発明の第１実施形態を示す図である。
【図６９】本発明の第１実施形態を示す図である。
【図７０】本発明の第１実施形態を示す図である。
【図７１】本発明の第１実施形態を示す図である。
【図７２】本発明の第２実施形態を示す図である。
【図７３】本発明の第２実施形態を示す図である。
【図７４】本発明の第２実施形態を示す図である。
【図７５】本発明の第２実施形態を示す図である。
【図７６】本発明の第２実施形態を示す図である。
【図７７】本発明の第２実施形態を示す図である。
【図７８】本発明の第２実施形態を示す図である。
【図７９】本発明の第２実施形態を示す図である。
【図８０】本発明の第２実施形態を示す図である。
【図８１】本発明の第１実施形態を示す図である。
【図８２】本発明の第２実施形態を示す図である。
【図８３】本発明の第２実施形態を示す図である。
【図８４】本発明の第２実施形態を示す図である。
【図８５】本発明の第２実施形態を示す図である。
【図８６】本発明の第２実施形態を示す図である。
【図８７】本発明の第２実施形態を示す図である。
【図８８】本発明の第２実施形態を示す図である。
【図８９】本発明の第２実施形態を示す図である。
【図９０】本発明の第２実施形態を示す図である。
【図９１】本発明の第１実施形態を示す図である。
【図９２】本発明の第２実施形態を示す図である。
【図９３】本発明の第２実施形態を示す図である。
【図９４】本発明の第２実施形態を示す図である。
【図９５】本発明の第２実施形態を示す図である。
【図９６】本発明の第２実施形態を示す図である。
【図９７】本発明の第２実施形態を示す図である。
【図９８】本発明の第２実施形態を示す図である。
【図９９】本発明の第２実施形態を示す図である。
【図１００】本発明の第２実施形態を示す図である。
【図１０１】本発明の第２実施形態を示す図である。
【図１０２】本発明の第２実施形態を示す図である。
【図１０３】本発明の第２実施形態を示す図である。
【図１０４】本発明の第２実施形態を示す図である。
【図１０５】本発明の第２実施形態を示す図である。
【図１０６】本発明の第３実施形態を示す図である。
【図１０７】本発明の第３実施形態を示す図である。
【図１０８】本発明の第３実施形態を示す図である。
【図１０９】本発明の第３実施形態を示す図である。
【図１１０】本発明の第３実施形態を示す図である。
【図１１１】本発明の第３実施形態を示す図である。
【図１１２】本発明の第３実施形態を示す図である。
【図１１３】本発明の第３実施形態を示す図である。
【図１１４】本発明の第４実施形態を示す図である。
【図１１５】本発明の第５実施形態を示す図である。
【図１１６】本発明の第６実施形態を示す図である。
【図１１７】本発明の第７実施形態を示す図である。
【図１１８】本発明の第８実施形態を示す図である。
【図１１９】自動車のグローブボックスに使用された本発明の更にもう１つの磁気ラッチ機構を示す周辺図である。開放位置にあるグローブボックスのドアが示される一方、磁気ラッチ機構は作動された状態、いわゆる非係止状態にある。磁気ラッチ機構の作動を説明するのに充分なグローブボックスドアの一部だけを示す。
【図１２０】自動車のグローブボックスに使用された本発明の更にもう１つの磁気ラッチ機構を示す周辺図である。開放位置にあるグローブボックスのドアが示される一方、磁気ラッチ機構は作動された状態、いわゆる非係止状態にある。磁気ラッチ機構の作動を説明するのに充分なグローブボックスドアの一部だけを示す。
【図１２１】自動車のグローブボックスに使用された本発明の更にもう１つの磁気ラッチ機構を示す周辺図である。開放位置にあるグローブボックスのドアが示される一方、磁気ラッチ機構は作動された状態、いわゆる非係止状態にある。磁気ラッチ機構の作動を説明するのに充分なグローブボックスドアの一部だけを示す。
【図１２２】自動車のグローブボックスに使用された本発明の更にもう１つの磁気ラッチ機構を示す周辺図である。開放位置にあるグローブボックスのドアが示される一方、磁気ラッチ機構は作動された状態、いわゆる非係止状態にある。磁気ラッチ機構の作動を説明するのに充分なグローブボックスドアの一部だけを示す。
【図１２３】作動された、いわゆる非係止状態にある図１１９乃至図１２２の磁気ラッチ機構を示す斜視図である。
【図１２４】自動車のグローブボックスに使用された図１１９乃至図１２２の磁気ラッチ機構を示す周辺図である。開放位置にあるグローブボックスのドアが示される一方、磁気ラッチ機構は開放されるも不作動状態にある。磁気ラッチ機構の作動を説明するのに充分なグローブボックスドアの一部だけを示す。
【図１２５】自動車のグローブボックスに使用された図１１９乃至図１２２の磁気ラッチ機構を示す周辺図である。開放位置にあるグローブボックスのドアが示される一方、磁気ラッチ機構は開放されるも不作動状態にある。磁気ラッチ機構の作動を説明するのに充分なグローブボックスドアの一部だけを示す。
【図１２６】開放されるも不作動状態にある、図１１９乃至図１２２の磁気ラッチ機構を示す斜視図である。
【図１２７】自動車のグローブボックスに使用された図１１９乃至図１２２の磁気ラッチ機構を示す周辺図である。開放位置にあるグローブボックスのドアが示される一方、磁気ラッチ機構は部分的に閉じられた状態にある。磁気ラッチ機構の作動を説明するのに充分なグローブボックスドアの一部だけを示す。
【図１２８】自動車のグローブボックスに使用された図１１９乃至図１２２の磁気ラッチ機構を示す周辺図である。開放位置にあるグローブボックスのドアが示される一方、磁気ラッチ機構は部分的に閉じられた状態にある。磁気ラッチ機構の作動を説明するのに充分なグローブボックスドアの一部だけを示す。
【図１２９】自動車のグローブボックスに使用された図１１９乃至図１２２の磁気ラッチ機構を示す周辺図である。開放位置にあるグローブボックスのドアが示される一方、磁気ラッチ機構は部分的に閉じられた状態にある。磁気ラッチ機構の作動を説明するのに充分なグローブボックスドアの一部だけを示す。
【図１３０】自動車のグローブボックスに使用された図１１９乃至図１２２の磁気ラッチ機構を示す周辺図である。開放位置にあるグローブボックスのドアが示される一方、磁気ラッチ機構は部分的に閉じられた状態にある。磁気ラッチ機構の作動を説明するのに充分なグローブボックスドアの一部だけを示す。
【図１３１】自動車のグローブボックスに使用された図１１９乃至図１２２の磁気ラッチ機構を示す周辺図である。開放位置にあるグローブボックスのドアが示される一方、磁気ラッチ機構は部分的に閉じられた状態にある。磁気ラッチ機構の作動を説明するのに充分なグローブボックスドアの一部だけを示す。
【図１３２】部分的閉止状態にある図１１９乃至図１２２の磁気ラッチ機構を示す斜視図である。
【図１３３】自動車のグローブボックスに使用された図１１９乃至図１２２の磁気ラッチ機構を示す周辺図である。完全に閉じられた位置にあるグローブボックスのドアが示される一方、磁気ラッチ機構は完全に閉じられた、いわゆる係止状態にある。磁気ラッチ機構の作動を説明するのに充分なグローブボックスドアの一部だけを示す。
【図１３４】自動車のグローブボックスに使用された図１１９乃至図１２２の磁気ラッチ機構を示す周辺図である。完全に閉じられた位置にあるグローブボックスのドアが示される一方、磁気ラッチ機構は完全に閉じられた、いわゆる係止状態にある。磁気ラッチ機構の作動を説明するのに充分なグローブボックスドアの一部だけを示す。
【図１３５】自動車のグローブボックスに使用された図１１９乃至図１２２の磁気ラッチ機構を示す周辺図である。完全に閉じられた位置にあるグローブボックスのドアが示される一方、磁気ラッチ機構は完全に閉じられた、いわゆる係止状態にある。磁気ラッチ機構の作動を説明するのに充分なグローブボックスドアの一部だけを示す。
【図１３６】図１１９乃至図１２２の磁気ラッチ機構であって、完全に閉じられた、いわゆる係止状態にある磁気ラッチ機構を示す図である。
【図１３７】図１１９乃至図１２２の磁気ラッチ機構であって、完全に閉じられた、いわゆる係止状態にある磁気ラッチ機構を示す図である。
【図１３８】図１１９乃至図１２２の磁気ラッチ機構であって、完全に閉じられた、いわゆる係止状態にある磁気ラッチ機構を示す図である。
【図１３９】図１１９乃至図１２２の磁気ラッチ機構であって、完全に閉じられた、いわゆる係止状態にある磁気ラッチ機構を示す図である。
【図１４０】図１１９乃至図１２２の磁気ラッチ機構であって、完全に閉じられた、いわゆる係止状態にある磁気ラッチ機構を示す図である。
【図１４１】図１１９乃至図１２２の磁気ラッチ機構であって、完全に閉じられた、いわゆる係止状態にある磁気ラッチ機構を示す図である。
【図１４２】図１１９乃至図１２２の磁気ラッチ機構のハウジングを示す図である。
【図１４３】図１１９乃至図１２２の磁気ラッチ機構のハウジングを示す図である。
【図１４４】図１１９乃至図１２２の磁気ラッチ機構のモータドライブカバーを示す図である。
【図１４５】図１１９乃至図１２２の磁気ラッチ機構のモータドライブカバーを示す図である。
【図１４６】図１１９乃至図１２２の磁気ラッチ機構のラックバーを示す図である。
【図１４７】図１１９乃至図１２２の磁気ラッチ機構のラックバーを示す図である。
【図１４８】図１１９乃至図１２２の磁気ラッチ機構のラックバーを示す図である。
【図１４９】図１１９乃至図１２２の磁気ラッチ機構のラックバーを示す図である。
【図１５０】図１１９乃至図１２２の磁気ラッチ機構のスライドバーを示す図である。
【図１５１】図１１９乃至図１２２の磁気ラッチ機構のスライドバーを示す図である。
【図１５２】図１１９乃至図１２２の磁気ラッチ機構のスライドバーを示す図である。
【図１５３】図１１９乃至図１２２の磁気ラッチ機構のスライドバーを示す図である。
【図１５４】図１１９乃至図１２２の磁気ラッチ機構のスライドバーを示す図である。
【図１５５】図１１９乃至図１２２の磁気ラッチ機構の作動を説明する図である。
【図１５６】図１１９乃至図１２２の磁気ラッチ機構の作動を説明する図である。
【図１５７】図１１９乃至図１２２の磁気ラッチ機構の作動を説明する図である。
【図１５８】図１１９乃至図１２２の磁気ラッチ機構の作動を説明する図である。
【図１５９】分離して示された図１１９乃至図１２２の磁気ラッチ機構の回転磁石を示す図である。
【図１６０】分離して示された図１１９乃至図１２２の磁気ラッチ機構の回転磁石を示す図である。
【図１６１】図１１９乃至図１２２の磁気ラッチ機構の受座の１つを示す図である。
【図１６２】図１１９乃至図１２２の磁気ラッチ機構の受座の１つを示す図である。
【図１６３】図１１９乃至図１２２の磁気ラッチ機構の受座の１つを示す図である。
【図１６４】図１１９乃至図１２２の磁気ラッチ機構の受座の１つを示す図である。
【図１６５】分離して示された図１１９乃至図１２２の磁気ラッチ機構の受座の磁気インサートを示す図である。
【図１６６】分離して示された図１１９乃至図１２２の磁気ラッチ機構の受座の磁気インサートを示す図である。
【図１６７】図１１９乃至図１２２の磁気ラッチ機構の制御ピンを示す図である。
【図１６８】図１１９乃至図１２２の磁気ラッチ機構の制御ピンを示す図である。
【図１６９】図１１９乃至図１２２の磁気ラッチ機構の制御ピンを示す図である。
【図１７０】図１１９乃至図１２２の磁気ラッチ機構の制御ピンを示す図である。
【図１７１】図１１９乃至図１２２の磁気ラッチ機構の制御ピンを示す図である。
【図１７２】図１１９乃至図１２２の磁気ラッチ機構の制御ピンを示す図である。
【図１７３】図１１９乃至図１２２の磁気ラッチ機構の制御ピンを示す図である。
【図１７４】図１１９乃至図１２２の磁気ラッチ機構の制御ピンを示す図である。
【図１７５】本発明による更にもう１つの磁気ラッチ機構を示す図である。    類似した参照番号は、複数の図を通して類似した要素を示している。
【図１７６】本発明による更にもう１つの磁気ラッチ機構を示す図である。    類似した参照番号は、複数の図を通して類似した要素を示している。
【図１７７】本発明による更にもう１つの磁気ラッチ機構を示す図である。    類似した参照番号は、複数の図を通して類似した要素を示している。
【図１７８】本発明による更にもう１つの磁気ラッチ機構を示す図である。    類似した参照番号は、複数の図を通して類似した要素を示している。
【図１７９】本発明による更にもう１つの磁気ラッチ機構を示す図である。    類似した参照番号は、複数の図を通して類似した要素を示している。
【図１８０】本発明による更にもう１つの磁気ラッチ機構を示す図である。    類似した参照番号は、複数の図を通して類似した要素を示している。
【図１８１】本発明による更にもう１つの磁気ラッチ機構を示す図である。    類似した参照番号は、複数の図を通して類似した要素を示している。
【図１８２】本発明による更にもう１つの磁気ラッチ機構を示す図である。    類似した参照番号は、複数の図を通して類似した要素を示している。
【図１８３】本発明による更にもう１つの磁気ラッチ機構を示す図である。    類似した参照番号は、複数の図を通して類似した要素を示している。
【図１８４】本発明による更にもう１つの磁気ラッチ機構を示す図である。    類似した参照番号は、複数の図を通して類似した要素を示している。
【図１８５】本発明による更にもう１つの磁気ラッチ機構を示す図である。    類似した参照番号は、複数の図を通して類似した要素を示している。
【図１８６】本発明による更にもう１つの磁気ラッチ機構を示す図である。    類似した参照番号は、複数の図を通して類似した要素を示している。
【図１８７】本発明による更にもう１つの磁気ラッチ機構を示す図である。    類似した参照番号は、複数の図を通して類似した要素を示している。
【図１８８】本発明による更にもう１つの磁気ラッチ機構を示す図である。    類似した参照番号は、複数の図を通して類似した要素を示している。
【図１８９】本発明による更にもう１つの磁気ラッチ機構を示す図である。    類似した参照番号は、複数の図を通して類似した要素を示している。
【図１９０】本発明による更にもう１つの磁気ラッチ機構を示す図である。    類似した参照番号は、複数の図を通して類似した要素を示している。
【図１９１】本発明による更にもう１つの磁気ラッチ機構を示す図である。    類似した参照番号は、複数の図を通して類似した要素を示している。
【図１９２】本発明による更にもう１つの磁気ラッチ機構を示す図である。    類似した参照番号は、複数の図を通して類似した要素を示している。
【図１９３】本発明による更にもう１つの磁気ラッチ機構を示す図である。    類似した参照番号は、複数の図を通して類似した要素を示している。
【図１９４】本発明による更にもう１つの磁気ラッチ機構を示す図である。    類似した参照番号は、複数の図を通して類似した要素を示している。
【図１９５】本発明による更にもう１つの磁気ラッチ機構を示す図である。    類似した参照番号は、複数の図を通して類似した要素を示している。
【図１９６】本発明による更にもう１つの磁気ラッチ機構を示す図である。    類似した参照番号は、複数の図を通して類似した要素を示している。
【図１９７】本発明による更にもう１つの磁気ラッチ機構を示す図である。    類似した参照番号は、複数の図を通して類似した要素を示している。
【図１９８】本発明による更にもう１つの磁気ラッチ機構を示す図である。    類似した参照番号は、複数の図を通して類似した要素を示している。
【図１９９】本発明による更にもう１つの磁気ラッチ機構を示す図である。    類似した参照番号は、複数の図を通して類似した要素を示している。
【図２００】本発明による更にもう１つの磁気ラッチ機構を示す図である。    類似した参照番号は、複数の図を通して類似した要素を示している。
【図２０１】本発明による更にもう１つの磁気ラッチ機構を示す図である。    類似した参照番号は、複数の図を通して類似した要素を示している。
【図２０２】本発明による更にもう１つの磁気ラッチ機構を示す図である。    類似した参照番号は、複数の図を通して類似した要素を示している。
【図２０３】本発明による更にもう１つの磁気ラッチ機構を示す図である。    類似した参照番号は、複数の図を通して類似した要素を示している。
【図２０４】本発明による更にもう１つの磁気ラッチ機構を示す図である。    類似した参照番号は、複数の図を通して類似した要素を示している。
【図２０５】本発明による更にもう１つの磁気ラッチ機構を示す図である。    類似した参照番号は、複数の図を通して類似した要素を示している。
【図２０６】本発明による更にもう１つの磁気ラッチ機構を示す図である。    類似した参照番号は、複数の図を通して類似した要素を示している。
【図２０７】本発明による更にもう１つの磁気ラッチ機構を示す図である。    類似した参照番号は、複数の図を通して類似した要素を示している。
【図２０８】本発明による更にもう１つの磁気ラッチ機構を示す図である。    類似した参照番号は、複数の図を通して類似した要素を示している。
【図２０９】本発明による更にもう１つの磁気ラッチ機構を示す図である。    類似した参照番号は、複数の図を通して類似した要素を示している。
【図２１０】本発明による更にもう１つの磁気ラッチ機構を示す図である。    類似した参照番号は、複数の図を通して類似した要素を示している。
【図２１１】本発明による更にもう１つの磁気ラッチ機構を示す図である。    類似した参照番号は、複数の図を通して類似した要素を示している。
【図２１２】本発明による更にもう１つの磁気ラッチ機構を示す図である。    類似した参照番号は、複数の図を通して類似した要素を示している。
【図２１３】本発明による更にもう１つの磁気ラッチ機構を示す図である。    類似した参照番号は、複数の図を通して類似した要素を示している。
【図２１４】本発明による更にもう１つの磁気ラッチ機構を示す図である。    類似した参照番号は、複数の図を通して類似した要素を示している。
【図２１５】本発明による更にもう１つの磁気ラッチ機構を示す図である。    類似した参照番号は、複数の図を通して類似した要素を示している。
【図２１６】本発明による更にもう１つの磁気ラッチ機構を示す図である。    類似した参照番号は、複数の図を通して類似した要素を示している。
【図２１７】本発明による更にもう１つの磁気ラッチ機構を示す図である。    類似した参照番号は、複数の図を通して類似した要素を示している。
【図２１８】本発明による更にもう１つの磁気ラッチ機構を示す図である。    類似した参照番号は、複数の図を通して類似した要素を示している。
【図２１９】本発明による更にもう１つの磁気ラッチ機構を示す図である。    類似した参照番号は、複数の図を通して類似した要素を示している。
【図２２０】本発明による更にもう１つの磁気ラッチ機構を示す図である。    類似した参照番号は、複数の図を通して類似した要素を示している。
【図２２１】本発明による更にもう１つの磁気ラッチ機構を示す図である。    類似した参照番号は、複数の図を通して類似した要素を示している。
【図２２２】本発明による更にもう１つの磁気ラッチ機構を示す図である。    類似した参照番号は、複数の図を通して類似した要素を示している。
【図２２３】本発明による更にもう１つの磁気ラッチ機構を示す図である。    類似した参照番号は、複数の図を通して類似した要素を示している。
【図２２４】本発明による更にもう１つの磁気ラッチ機構を示す図である。    類似した参照番号は、複数の図を通して類似した要素を示している。
【図２２５】本発明による更にもう１つの磁気ラッチ機構を示す図である。    類似した参照番号は、複数の図を通して類似した要素を示している。
【図２２６】本発明による更にもう１つの磁気ラッチ機構を示す図である。    類似した参照番号は、複数の図を通して類似した要素を示している。
【図２２７】本発明による更にもう１つの磁気ラッチ機構を示す図である。    類似した参照番号は、複数の図を通して類似した要素を示している。
【図２２８】本発明による更にもう１つの磁気ラッチ機構を示す図である。    類似した参照番号は、複数の図を通して類似した要素を示している。
【図２２９】本発明による更にもう１つの磁気ラッチ機構を示す図である。    類似した参照番号は、複数の図を通して類似した要素を示している。
【図２３０】本発明による更にもう１つの磁気ラッチ機構を示す図である。    類似した参照番号は、複数の図を通して類似した要素を示している。
【図２３１】本発明による更にもう１つの磁気ラッチ機構を示す図である。    類似した参照番号は、複数の図を通して類似した要素を示している。
【図２３２】本発明による更にもう１つの磁気ラッチ機構を示す図である。    類似した参照番号は、複数の図を通して類似した要素を示している。
【図２３３】本発明による更にもう１つの磁気ラッチ機構を示す図である。    類似した参照番号は、複数の図を通して類似した要素を示している。
【図２３４】本発明による更にもう１つの磁気ラッチ機構を示す図である。    類似した参照番号は、複数の図を通して類似した要素を示している。
【図２３５】本発明による更にもう１つの磁気ラッチ機構を示す図である。    類似した参照番号は、複数の図を通して類似した要素を示している。
【図２３６】本発明による更にもう１つの磁気ラッチ機構を示す図である。    類似した参照番号は、複数の図を通して類似した要素を示している。
【図２３７】本発明による更にもう１つの磁気ラッチ機構を示す図である。    類似した参照番号は、複数の図を通して類似した要素を示している。
【図２３８】本発明による更にもう１つの磁気ラッチ機構を示す図である。    類似した参照番号は、複数の図を通して類似した要素を示している。
【図２３９】本発明による更にもう１つの磁気ラッチ機構を示す図である。    類似した参照番号は、複数の図を通して類似した要素を示している。
【図２４０】本発明による更にもう１つの磁気ラッチ機構を示す図である。    類似した参照番号は、複数の図を通して類似した要素を示している。
【図２４１】本発明による更にもう１つの磁気ラッチ機構を示す図である。    類似した参照番号は、複数の図を通して類似した要素を示している。
【図２４２】本発明による更にもう１つの磁気ラッチ機構を示す図である。    類似した参照番号は、複数の図を通して類似した要素を示している。
【図２４３】本発明による更にもう１つの磁気ラッチ機構を示す図である。    類似した参照番号は、複数の図を通して類似した要素を示している。
【図２４４】本発明による更にもう１つの磁気ラッチ機構を示す図である。    類似した参照番号は、複数の図を通して類似した要素を示している。
【図２４５】本発明による更にもう１つの磁気ラッチ機構を示す図である。    類似した参照番号は、複数の図を通して類似した要素を示している。
【図２４６】本発明による更にもう１つの磁気ラッチ機構を示す図である。    類似した参照番号は、複数の図を通して類似した要素を示している。
【図２４７】本発明による更にもう１つの磁気ラッチ機構を示す図である。    類似した参照番号は、複数の図を通して類似した要素を示している。
【図２４８】本発明による更にもう１つの磁気ラッチ機構を示す図である。    類似した参照番号は、複数の図を通して類似した要素を示している。
【図２４９】本発明による更にもう１つの磁気ラッチ機構を示す図である。    類似した参照番号は、複数の図を通して類似した要素を示している。
【図２５０】本発明による更にもう１つの磁気ラッチ機構を示す図である。    類似した参照番号は、複数の図を通して類似した要素を示している。
【図２５１】本発明による更にもう１つの磁気ラッチ機構を示す図である。    類似した参照番号は、複数の図を通して類似した要素を示している。
【図２５２】本発明による更にもう１つの磁気ラッチ機構を示す図である。    類似した参照番号は、複数の図を通して類似した要素を示している。
【図２５３】本発明による更にもう１つの磁気ラッチ機構を示す図である。    類似した参照番号は、複数の図を通して類似した要素を示している。
【図２５４】本発明による更にもう１つの磁気ラッチ機構を示す図である。    類似した参照番号は、複数の図を通して類似した要素を示している。
【図２５５】本発明による更にもう１つの磁気ラッチ機構を示す図である。    類似した参照番号は、複数の図を通して類似した要素を示している。
【図２５６】本発明による更にもう１つの磁気ラッチ機構を示す図である。    類似した参照番号は、複数の図を通して類似した要素を示している。
【図２５７】本発明による更にもう１つの磁気ラッチ機構を示す図である。    類似した参照番号は、複数の図を通して類似した要素を示している。
【図２５８】本発明による更にもう１つの磁気ラッチ機構を示す図である。    類似した参照番号は、複数の図を通して類似した要素を示している。
【図２５９】本発明による更にもう１つの磁気ラッチ機構を示す図である。    類似した参照番号は、複数の図を通して類似した要素を示している。
【図２６０】本発明による更にもう１つの磁気ラッチ機構を示す図である。    類似した参照番号は、複数の図を通して類似した要素を示している。
【図２６１】本発明による更にもう１つの磁気ラッチ機構を示す図である。    類似した参照番号は、複数の図を通して類似した要素を示している。
【図２６２】本発明による更にもう１つの磁気ラッチ機構を示す図である。    類似した参照番号は、複数の図を通して類似した要素を示している。
【図２６３】本発明による更にもう１つの磁気ラッチ機構を示す図である。    類似した参照番号は、複数の図を通して類似した要素を示している。
【図２６４】本発明による更にもう１つの磁気ラッチ機構を示す図である。    類似した参照番号は、複数の図を通して類似した要素を示している。
【図２６５】本発明による更にもう１つの磁気ラッチ機構を示す図である。    類似した参照番号は、複数の図を通して類似した要素を示している。
【図２６６】本発明による更にもう１つの磁気ラッチ機構を示す図である。    類似した参照番号は、複数の図を通して類似した要素を示している。
【図２６７】本発明による更にもう１つの磁気ラッチ機構を示す図である。    類似した参照番号は、複数の図を通して類似した要素を示している。
【図２６８】本発明による更にもう１つの磁気ラッチ機構を示す図である。    類似した参照番号は、複数の図を通して類似した要素を示している。
【図２６９】本発明による更にもう１つの磁気ラッチ機構を示す図である。    類似した参照番号は、複数の図を通して類似した要素を示している。
【図２７０】本発明による更にもう１つの磁気ラッチ機構を示す図である。    類似した参照番号は、複数の図を通して類似した要素を示している。
【図２７１】本発明による更にもう１つの磁気ラッチ機構を示す図である。    類似した参照番号は、複数の図を通して類似した要素を示している。
【図２７２】本発明による更にもう１つの磁気ラッチ機構を示す図である。    類似した参照番号は、複数の図を通して類似した要素を示している。
【図２７３】本発明による更にもう１つの磁気ラッチ機構を示す図である。    類似した参照番号は、複数の図を通して類似した要素を示している。
【図２７４】本発明による更にもう１つの磁気ラッチ機構を示す図である。    類似した参照番号は、複数の図を通して類似した要素を示している。
【図２７５】本発明による更にもう１つの磁気ラッチ機構を示す図である。    類似した参照番号は、複数の図を通して類似した要素を示している。
【図２７６】本発明による更にもう１つの磁気ラッチ機構を示す図である。    類似した参照番号は、複数の図を通して類似した要素を示している。
【図２７７】本発明による更にもう１つの磁気ラッチ機構を示す図である。    類似した参照番号は、複数の図を通して類似した要素を示している。
【図２７８】本発明による更にもう１つの磁気ラッチ機構を示す図である。    類似した参照番号は、複数の図を通して類似した要素を示している。
【図２７９】本発明による更にもう１つの磁気ラッチ機構を示す図である。    類似した参照番号は、複数の図を通して類似した要素を示している。
【図２８０】本発明による更にもう１つの磁気ラッチ機構を示す図である。    類似した参照番号は、複数の図を通して類似した要素を示している。
【図２８１】本発明による更にもう１つの磁気ラッチ機構を示す図である。    類似した参照番号は、複数の図を通して類似した要素を示している。
【図２８２】本発明による更にもう１つの磁気ラッチ機構を示す図である。    類似した参照番号は、複数の図を通して類似した要素を示している。
【図２８３】本発明による更にもう１つの磁気ラッチ機構を示す図である。    類似した参照番号は、複数の図を通して類似した要素を示している。
【図２８４】本発明による更にもう１つの磁気ラッチ機構を示す図である。    類似した参照番号は、複数の図を通して類似した要素を示している。
【図２８５】本発明による更にもう１つの磁気ラッチ機構を示す図である。    類似した参照番号は、複数の図を通して類似した要素を示している。
【図２８６】本発明による更にもう１つの磁気ラッチ機構を示す図である。    類似した参照番号は、複数の図を通して類似した要素を示している。
【図２８７】本発明による更にもう１つの磁気ラッチ機構を示す図である。    類似した参照番号は、複数の図を通して類似した要素を示している。
【図２８８】本発明による更にもう１つの磁気ラッチ機構を示す図である。    類似した参照番号は、複数の図を通して類似した要素を示している。
【図２８９】本発明による更にもう１つの磁気ラッチ機構を示す図である。    類似した参照番号は、複数の図を通して類似した要素を示している。
【図２９０】本発明による更にもう１つの磁気ラッチ機構を示す図である。    類似した参照番号は、複数の図を通して類似した要素を示している。
【図２９１】本発明による更にもう１つの磁気ラッチ機構を示す図である。    類似した参照番号は、複数の図を通して類似した要素を示している。
【図２９２】本発明による更にもう１つの磁気ラッチ機構を示す図である。    類似した参照番号は、複数の図を通して類似した要素を示している。
【図２９３】本発明による更にもう１つの磁気ラッチ機構を示す図である。    類似した参照番号は、複数の図を通して類似した要素を示している。
【図２９４】本発明による更にもう１つの磁気ラッチ機構を示す図である。    類似した参照番号は、複数の図を通して類似した要素を示している。
【図２９５】本発明による更にもう１つの磁気ラッチ機構を示す図である。    類似した参照番号は、複数の図を通して類似した要素を示している。
【図２９６】本発明による更にもう１つの磁気ラッチ機構を示す図である。    類似した参照番号は、複数の図を通して類似した要素を示している。
【図２９７】本発明による更にもう１つの磁気ラッチ機構を示す図である。    類似した参照番号は、複数の図を通して類似した要素を示している。
【図１】
2008540880.tif 000003
【図２】
2008540880.tif 000004
【図３】
2008540880.tif 000005
【図４】
2008540880.tif 000006
【図５】
2008540880.tif 000007
【図６】
2008540880.tif 000008
【図７】
2008540880.tif 000009
【図８】
2008540880.tif 000010
【図９】
2008540880.tif 000011
【図１０】
2008540880.tif 000012
【図１１】
2008540880.tif 000013
【図１２】
2008540880.tif 000014
【図１３】
2008540880.tif 000015
【図１４】
2008540880.tif 000016
【図１５】
2008540880.tif 000017
【図１６】
2008540880.tif 000018
【図１７】
2008540880.tif 000019
【図１８】
2008540880.tif 000020
【図１９】
2008540880.tif 000021
【図２０】
2008540880.tif 000022
【図２１】
2008540880.tif 000023
【図２２】
2008540880.tif 000024
【図２３】
2008540880.tif 000025
【図２４】
2008540880.tif 000026
【図２５】
2008540880.tif 000027
【図２６】
2008540880.tif 000028
【図２７】
2008540880.tif 000029
【図２８】
2008540880.tif 000030
【図２９】
2008540880.tif 000031
【図３０】
2008540880.tif 000032
【図３１】
2008540880.tif 000033
【図３２】
2008540880.tif 000034
【図３３】
2008540880.tif 000035
【図３４】
2008540880.tif 000036
【図３５】
2008540880.tif 000037
【図３６】
2008540880.tif 000038
【図３７】
2008540880.tif 000039
【図３８】
2008540880.tif 000040
【図３９】
2008540880.tif 000041
【図４０】
2008540880.tif 000042
【図４１】
2008540880.tif 000043
【図４２】
2008540880.tif 000044
【図４３】
2008540880.tif 000045
【図４４】
2008540880.tif 000046
【図４５】
2008540880.tif 000047
【図４６】
2008540880.tif 000048
【図４７】
2008540880.tif 000049
【図４８】
2008540880.tif 000050
【図４９】
2008540880.tif 000051
【図５０】
2008540880.tif 000052
【図５１】
2008540880.tif 000053
【図５２】
2008540880.tif 000054
【図５３】
2008540880.tif 000055
【図５４】
2008540880.tif 000056
【図５５】
2008540880.tif 000057
【図５６】
2008540880.tif 000058
【図５７】
2008540880.tif 000059
【図５８】
2008540880.tif 000060
【図５９】
2008540880.tif 000061
【図６０】
2008540880.tif 000062
【図６１】
2008540880.tif 000063
【図６２】
2008540880.tif 000064
【図６３】
2008540880.tif 000065
【図６４】
2008540880.tif 000066
【図６５】
2008540880.tif 000067
【図６６】
2008540880.tif 000068
【図６７】
2008540880.tif 000069
【図６８】
2008540880.tif 000070
【図６９】
2008540880.tif 000071
【図７０】
2008540880.tif 000072
【図７１】
2008540880.tif 000073
【図７２】
2008540880.tif 000074
【図７３】
2008540880.tif 000075
【図７４】
2008540880.tif 000076
【図７５】
2008540880.tif 000077
【図７６】
2008540880.tif 000078
【図７７】
2008540880.tif 000079
【図７８】
2008540880.tif 000080
【図７９】
2008540880.tif 000081
【図８０】
2008540880.tif 000082
【図８１】
2008540880.tif 000083
【図８２】
2008540880.tif 000084
【図８３】
2008540880.tif 000085
【図８４】
2008540880.tif 000086
【図８５】
2008540880.tif 000087
【図８６】
2008540880.tif 000088
【図８７】
2008540880.tif 000089
【図８８】
2008540880.tif 000090
【図８９】
2008540880.tif 000091
【図９０】
2008540880.tif 000092
【図９１】
2008540880.tif 000093
【図９２】
2008540880.tif 000094
【図９３】
2008540880.tif 000095
【図９４】
2008540880.tif 000096
【図９５】
2008540880.tif 000097
【図９６】
2008540880.tif 000098
【図９７】
2008540880.tif 000099
【図９８】
2008540880.tif 000100
【図９９】
2008540880.tif 000101
【図１００】
2008540880.tif 000102
【図１０１】
2008540880.tif 000103
【図１０２】
2008540880.tif 000104
【図１０３】
2008540880.tif 000105
【図１０４】
2008540880.tif 000106
【図１０５】
2008540880.tif 000107
【図１０６】
2008540880.tif 000108
【図１０７】
2008540880.tif 000109
【図１０８】
2008540880.tif 000110
【図１０９】
2008540880.tif 000111
【図１１０】
2008540880.tif 000112
【図１１１】
2008540880.tif 000113
【図１１２】
2008540880.tif 000114
【図１１３】
2008540880.tif 000115
【図１１４】
2008540880.tif 000116
【図１１５】
2008540880.tif 000117
【図１１６】
2008540880.tif 000118
【図１１７】
2008540880.tif 000119
【図１１８】
2008540880.tif 000120
【図１１９】
2008540880.tif 000121
【図１２０】
2008540880.tif 000122
【図１２１】
2008540880.tif 000123
【図１２２】
2008540880.tif 000124
【図１２３】
2008540880.tif 000125
【図１２４】
2008540880.tif 000126
【図１２５】
2008540880.tif 000127
【図１２６】
2008540880.tif 000128
【図１２７】
2008540880.tif 000129
【図１２８】
2008540880.tif 000130
【図１２９】
2008540880.tif 000131
【図１３０】
2008540880.tif 000132
【図１３１】
2008540880.tif 000133
【図１３２】
2008540880.tif 000134
【図１３３】
2008540880.tif 000135
【図１３４】
2008540880.tif 000136
【図１３５】
2008540880.tif 000137
【図１３６】
2008540880.tif 000138
【図１３７】
2008540880.tif 000139
【図１３８】
2008540880.tif 000140
【図１３９】
2008540880.tif 000141
【図１４０】
2008540880.tif 000142
【図１４１】
2008540880.tif 000143
【図１４２】
2008540880.tif 000144
【図１４３】
2008540880.tif 000145
【図１４４】
2008540880.tif 000146
【図１４５】
2008540880.tif 000147
【図１４６】
2008540880.tif 000148
【図１４７】
2008540880.tif 000149
【図１４８】
2008540880.tif 000150
【図１４９】
2008540880.tif 000151
【図１５０】
2008540880.tif 000152
【図１５１】
2008540880.tif 000153
【図１５２】
2008540880.tif 000154
【図１５３】
2008540880.tif 000155
【図１５４】
2008540880.tif 000156
【図１５５】
2008540880.tif 000157
【図１５６】
2008540880.tif 000158
【図１５７】
2008540880.tif 000159
【図１５８】
2008540880.tif 000160
【図１５９】
2008540880.tif 000161
【図１６０】
2008540880.tif 000162
【図１６１】
2008540880.tif 000163
【図１６２】
2008540880.tif 000164
【図１６３】
2008540880.tif 000165
【図１６４】
2008540880.tif 000166
【図１６５】
2008540880.tif 000167
【図１６６】
2008540880.tif 000168
【図１６７】
2008540880.tif 000169
【図１６８】
2008540880.tif 000170
【図１６９】
2008540880.tif 000171
【図１７０】
2008540880.tif 000172
【図１７１】
2008540880.tif 000173
【図１７２】
2008540880.tif 000174
【図１７３】
2008540880.tif 000175
【図１７４】
2008540880.tif 000176
【図１７５】
2008540880.tif 000177
【図１７６】
2008540880.tif 000178
【図１７７】
2008540880.tif 000179
【図１７８】
2008540880.tif 000180
【図１７９】
2008540880.tif 000181
【図１８０】
2008540880.tif 000182
【図１８１】
2008540880.tif 000183
【図１８２】
2008540880.tif 000184
【図１８３】
2008540880.tif 000185
【図１８４】
2008540880.tif 000186
【図１８５】
2008540880.tif 000187
【図１８６】
2008540880.tif 000188
【図１８７】
2008540880.tif 000189
【図１８８】
2008540880.tif 000190
【図１８９】
2008540880.tif 000191
【図１９０】
2008540880.tif 000192
【図１９１】
2008540880.tif 000193
【図１９２】
2008540880.tif 000194
【図１９３】
2008540880.tif 000195
【図１９４】
2008540880.tif 000196
【図１９５】
2008540880.tif 000197
【図１９６】
2008540880.tif 000198
【図１９７】
2008540880.tif 000199
【図１９８】
2008540880.tif 000200
【図１９９】
2008540880.tif 000201
【図２００】
2008540880.tif 000202
【図２０１】
2008540880.tif 000203
【図２０２】
2008540880.tif 000204
【図２０３】
2008540880.tif 000205
【図２０４】
2008540880.tif 000206
【図２０５】
2008540880.tif 000207
【図２０６】
2008540880.tif 000208
【図２０７】
2008540880.tif 000209
【図２０８】
2008540880.tif 000210
【図２０９】
2008540880.tif 000211
【図２１０】
2008540880.tif 000212
【図２１１】
2008540880.tif 000213
【図２１２】
2008540880.tif 000214
【図２１３】
2008540880.tif 000215
【図２１４】
2008540880.tif 000216
【図２１５】
2008540880.tif 000217
【図２１６】
2008540880.tif 000218
【図２１７】
2008540880.tif 000219
【図２１８】
2008540880.tif 000220
【図２１９】
2008540880.tif 000221
【図２２０】
2008540880.tif 000222
【図２２１】
2008540880.tif 000223
【図２２２】
2008540880.tif 000224
【図２２３】
2008540880.tif 000225
【図２２４】
2008540880.tif 000226
【図２２５】
2008540880.tif 000227
【図２２６】
2008540880.tif 000228
【図２２７】
2008540880.tif 000229
【図２２８】
2008540880.tif 000230
【図２２９】
2008540880.tif 000231
【図２３０】
2008540880.tif 000232
【図２３１】
2008540880.tif 000233
【図２３２】
2008540880.tif 000234
【図２３３】
2008540880.tif 000235
【図２３４】
2008540880.tif 000236
【図２３５】
2008540880.tif 000237
【図２３６】
2008540880.tif 000238
【図２３７】
2008540880.tif 000239
【図２３８】
2008540880.tif 000240
【図２３９】
2008540880.tif 000241
【図２４０】
2008540880.tif 000242
【図２４１】
2008540880.tif 000243
【図２４２】
2008540880.tif 000244
【図２４３】
2008540880.tif 000245
【図２４４】
2008540880.tif 000246
【図２４５】
2008540880.tif 000247
【図２４６】
2008540880.tif 000248
【図２４７】
2008540880.tif 000249
【図２４８】
2008540880.tif 000250
【図２４９】
2008540880.tif 000251
【図２５０】
2008540880.tif 000252
【図２５１】
2008540880.tif 000253
【図２５２】
2008540880.tif 000254
【図２５３】
2008540880.tif 000255
【図２５４】
2008540880.tif 000256
【図２５５】
2008540880.tif 000257
【図２５６】
2008540880.tif 000258
【図２５７】
2008540880.tif 000259
【図２５８】
2008540880.tif 000260
【図２５９】
2008540880.tif 000261
【図２６０】
2008540880.tif 000262
【図２６１】
2008540880.tif 000263
【図２６２】
2008540880.tif 000264
【図２６３】
2008540880.tif 000265
【図２６４】
2008540880.tif 000266
【図２６５】
2008540880.tif 000267
【図２６６】
2008540880.tif 000268
【図２６７】
2008540880.tif 000269
【図２６８】
2008540880.tif 000270
【図２６９】
2008540880.tif 000271
【図２７０】
2008540880.tif 000272
【図２７１】
2008540880.tif 000273
【図２７２】
2008540880.tif 000274
【図２７３】
2008540880.tif 000275
【図２７４】
2008540880.tif 000276
【図２７５】
2008540880.tif 000277
【図２７６】
2008540880.tif 000278
【図２７７】
2008540880.tif 000279
【図２７８】
2008540880.tif 000280
【図２７９】
2008540880.tif 000281
【図２８０】
2008540880.tif 000282
【図２８１】
2008540880.tif 000283
【図２８２】
2008540880.tif 000284
【図２８３】
2008540880.tif 000285
【図２８４】
2008540880.tif 000286
【図２８５】
2008540880.tif 000287
【図２８６】
2008540880.tif 000288
【図２８７】
2008540880.tif 000289
【図２８８】
2008540880.tif 000290
【図２８９】
2008540880.tif 000291
【図２９０】
2008540880.tif 000292
【図２９１】
2008540880.tif 000293
【図２９２】
2008540880.tif 000294
【図２９３】
2008540880.tif 000295
【図２９４】
2008540880.tif 000296
【図２９５】
2008540880.tif 000297
【図２９６】
2008540880.tif 000298
【図２９７】
2008540880.tif 000299
【国際調査報告】
2008540880.tif 000300
2008540880.tif 000301